(57)【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
所定の設定操作手段の操作に基づいて、遊技者にとっての有利度を設定する有利度設定手段と、
特定表示結果が導出される毎に複数種類の特定事象のうちのいずれかを発生可能な事象発生手段と、を備え、
前記事象発生手段は、前記有利度設定手段により設定されている有利度に基づいて示唆する示唆有利度を特定し、当該示唆有利度に応じた特定事象の組合せとなるように前記特定表示結果が導出される毎に特定事象を発生させ、
前記示唆有利度に応じた特定事象の組合せは、複数種類の示唆パターンからなり、
前記特定表示結果が特定回導出されたときに、前記複数種類の示唆パターンのうちのいずれの示唆パターンであるかが特定可能となるとともに、抽選により前記複数種類の示唆パターンのうちのいずれかが決定される、スロットマシン。
【発明の詳細な説明】
【技術分野】
【０００１】
本発明は、各々が識別可能な複数種類の識別情報を変動表示可能な可変表示部を備え、前記可変表示部を変動表示した後、前記可変表示部の変動表示を停止することで表示結果を導出し、該表示結果に応じて入賞が発生可能なスロットマシンに関する。
【背景技術】
【０００２】
スロットマシンは、一般に、外周部に識別情報としての複数種類の図柄が描かれた複数（通常は３つ）のリールを有する可変表示部を備えており、各リールは、遊技者がスタートレバーを操作することにより回転を開始し、また、遊技者が各リールに対応して設けられた停止ボタンを操作することにより、その操作タイミングから予め定められた最大遅延時間の範囲内で回転を停止する。そして、全てのリールの回転を停止したときに導出された表示結果に従って入賞が発生する。
【０００３】
入賞となる役の種類としては、小役、特別役、再遊技役といった種類がある。ここで、小役の入賞では、小役の種類毎に定められた数のメダルが払い出されるという利益を遊技者が得ることができる。特別役の入賞では、次のゲームからレギュラーボーナスやビッグボーナスといった遊技者にとって有利な遊技状態へ移行されるという利益を遊技者が得ることができる。再遊技役の入賞では、賭数の設定に新たなメダルを消費することなく次のゲームを行うことができるという利益を得ることができる。
【０００４】
このようなスロットマシンとして、特別役などの当選確率を特定するための設定値を設定し、設定された設定値に基づいて演出を実行することにより、設定されている設定値（奇数あるいは偶数）を示唆可能にする設定示唆を行うものがあった（特許文献１）。
【先行技術文献】
【特許文献】
【０００５】
【特許文献１】特開２０００−１２６３７１号公報
【発明の概要】
【発明が解決しようとする課題】
【０００６】
しかしながら、特許文献１に記載のスロットマシンにおける設定示唆は、１回毎に完結する。このため、設定示唆の内容によっては、設定示唆が行われた以降において遊技を継続することへの意欲が削がれてしまい、遊技の興趣を低下させてしまう虞があった。
【０００７】
この発明は、かかる実情に鑑み考え出されたものであり、その目的は、遊技継続への意欲を持続させつつ設定示唆により遊技の興趣を向上させることができるスロットマシンを提供することである。
【課題を解決するための手段】
【０００８】
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシン（たとえば、スロットマシン１）において、
所定の設定操作手段（たとえば、設定キースイッチ３７、リセット／設定スイッチ３８、電源スイッチ３９）の操作に基づいて、遊技者にとっての有利度（たとえば、設定値）を設定する有利度設定手段（たとえば、メイン制御部４１）と、
特定表示結果（たとえば、「黒ＢＡＲ／白ＢＡＲ−黒ＢＡＲ／白ＢＡＲ−黒ＢＡＲ／白ＢＡＲ」）が導出される毎に複数種類の特定事象（たとえば、キャラクタＡ〜Ｃのいずれかが出現する第２設定示唆演出）のうちのいずれかを発生可能な事象発生手段（たとえば、図１７に示す第２設定示唆演出関連処理）と、を備え、
前記事象発生手段は、前記有利度設定手段により設定されている有利度に基づいて示唆する示唆有利度を特定し（たとえば、第２設定示唆演出用パターンを決定するための処理）、当該示唆有利度に応じた特定事象の組合せ（たとえば、図１８）となるように前記特定表示結果が導出される毎に特定事象を発生させ（たとえば、図１７のＳ２１〜Ｓ２３）、
前記示唆有利度に応じた特定事象の組合せは、複数種類の示唆パターンからなり、
前記特定表示結果が特定回導出されたときに、前記複数種類の示唆パターンのうちのいずれの示唆パターンであるかが特定可能となるとともに、抽選により前記複数種類の示唆パターンのうちのいずれかが決定される。
【０００９】
このような構成によれば、特定表示結果が導出される毎に発生する特定事象の組合せがいずれの組合せであるかに応じて示唆有利度を特定可能となる。このため、少なくとも特定表示結果が複数回導出されて特定事象の組合せを特定できるまで遊技を継続することへの意欲を持続させることができ、遊技の興趣を向上させることができる。
【００１０】
なお、事象発生手段は、前記有利度設定手段により設定されている有利度に基づいて、示唆する示唆有利度に対応する特定事象の組合せとなるように前記特定表示結果が導出される毎に特定事象を発生させるものであってもよい。また、示唆有利度に応じた特定事象の組合せは、特定表示結果が複数回導出されることにより特定可能となる組合せを含むものであればよい。
【００１１】
（２）  上記（１）のスロットマシンにおいて、
第１の示唆有利度に応じた特定事象の組合せ（たとえば、現在設定値が「６」であることを示唆するパターンＡの組合せ）となるように前記特定表示結果が所定回（たとえば、２回）導出されるまでに発生する特定事象は、第２の示唆有利度に応じた特定事象の組合せ（たとえば、現在設定値が少なくとも「１」以外であることを示唆するパターンＣの組合せ）となるように前記特定表示結果が前記所定回導出されるまでに発生する特定事象と共通する（たとえば、図１８参照）。
【００１２】
このような構成によれば、所定回より多く特定事象が発生するまで、示唆有利度が第１の示唆有利度であるか第２の示唆有利度であるかを推測不能にすることができる。
【００１３】
（３）  上記（１）または（２）のスロットマシンにおいて、
示唆有利度に応じた特定事象の組合せは、特定個数（たとえば、３）の特定事象からなり（たとえば、図１８参照）、
前記特定表示結果が複数回導出されたときに、今回の特定表示結果が導出されたときに発生する特定事象が前記特定個数の特定事象のうちのいずれの特定事象であるかを特定可能な情報を報知する情報報知手段（たとえば、図１７のＳ２５）を備える。
【００１４】
このような構成によれば、発生した特定事象を把握していないときであっても、情報が報知されることにより今回の特定事象がいずれの特定事象であるかを把握可能となる。このため、示唆有利度を推測するといった面白みを提供でき、遊技の興趣を向上させることができる。
【００１５】
（４）  上記（１）〜（３）のいずれかのスロットマシンにおいて、
遊技者にとって有利な有利状態への制御が許容されている許容状態（たとえば、ＢＢ当選しているＲＴ４）において、移行条件が成立したとき（たとえば、ＢＢ入賞時）に前記有利状態（たとえば、ボーナス（ＢＢ））に制御する有利状態制御手段（たとえば、図８）を備え、
前記特定表示結果は、前記許容状態において導出可能な表示結果である（たとえば、図９参照）。
【００１６】
このような構成によれば、許容状態となることに対する期待感を向上させることができるとともに、許容状態中における遊技の興趣を向上させることができる。
【００１７】
（５）  上記（１）〜（４）のいずれかのスロットマシンにおいて、
前記事象発生手段は、示唆する示唆有利度に応じた特定事象の組合せを、スロットマシンにおいて所定開始条件が成立したとき（たとえば、電源復帰されたときや、第２設定示唆演出用カウンタが「３」となり決定されたパターンによる演出が一巡したときなど）に特定する。
【００１８】
このような構成によれば、所定開始条件が成立したときに特定事象の組合せを特定できるため、たとえば特定表示結果が導出される毎に発生させる特定事象を決定するようなものと比較して、処理負担を軽減することができる。
【００１９】
（６）  上記（１）〜（５）のいずれかのスロットマシンにおいて、
前記有利度設定手段により設定されている有利度に応じて、有利度を示唆する有利度示唆演出（たとえば、第１設定示唆演出）を特定状態（たとえば、ＢＢ、ＡＴ）において実行可能な有利度示唆演出実行手段（たとえば、第１設定示唆演出関連処理）とを備え、
前記有利度示唆演出実行手段は、特定条件が成立しているとき（たとえば、図１５（ａ）のＳ０３においてＹＥＳ）と前記特定条件が成立していないときとで異なる割合に基づいて前記有利度示唆演出を実行し（たとえば、図１５（ｂ）および（ｃ））、
前記特定条件は、前記特定状態に制御された回数（たとえば、ＢＢ回数カウンタやＡＴ回数カウンタの値）が所定回数目（たとえば、３の倍数）となる特定状態であることにより成立する条件である（たとえば、図１５（ａ）のＳ０３）。
【００２０】
このような構成によれば、特定条件が成立しているか否かに応じて、異なる割合に基づいて有利度示唆演出を実行することにより、有利度示唆演出に関する制御を異ならせることができるとともに、特定条件の成立に関連する特定状態に制御された回数に遊技者を注目させることができるため、遊技の興趣を向上させることができる。
【００２１】
（７）  上記（１）〜（５）のいずれかのスロットマシンにおいて、
前記有利度設定手段により設定されている有利度に応じて、有利度を示唆する有利度示唆演出（たとえば、第１設定示唆演出）を特定状態（たとえば、ＢＢ、ＡＴ）において実行可能な有利度示唆演出実行手段（たとえば、第１設定示唆演出関連処理）とを備え、
前記有利度示唆演出実行手段は、特定条件が成立しているとき（たとえば、図２０（ａ）のＳ０２’においてＹＥＳ）と前記特定条件が成立していないときとで異なる割合に基づいて前記有利度示唆演出を実行し（たとえば、図１５（ｂ）および（ｃ））、
前記特定条件は、単位遊技が行われた回数が所定回数であるときに制御された特定状態であることにより成立する条件である（たとえば、図２０（ａ）のＳ０２’）。
【００２２】
このような構成によれば、特定条件が成立しているか否かに応じて、異なる割合に基づいて有利度示唆演出を実行することにより、有利度示唆演出に関する制御を異ならせることができるとともに、特定条件の成立に関連する単位遊技が行われた回数に遊技者を注目させることができるため、遊技の興趣を向上させることができる。
【００２３】
（８）  上記（１）〜（５）のいずれかのスロットマシンにおいて、
前記有利度設定手段により設定されている有利度に応じて、有利度を示唆する有利度示唆演出（たとえば、第１設定示唆演出）を特定状態（たとえば、ＢＢ、ＡＴ）において実行可能な有利度示唆演出実行手段（たとえば、第１設定示唆演出関連処理）とを備え、
前記有利度示唆演出実行手段は、特定条件が成立しているとき（たとえば、図２０（ｂ）のＳ０２”においてＹＥＳ）と前記特定条件が成立していないときとで異なる割合に基づいて前記有利度示唆演出を実行し（たとえば、図１５（ｂ）および（ｃ））、
前記特定条件は、スロットマシンにおいて所定開始条件が成立してから最初に制御された特定状態であることにより成立する条件である（たとえば、図２０（ｂ）のＳ０２”）。
【００２４】
このような構成によれば、特定条件が成立しているか否かに応じて、異なる割合に基づいて有利度示唆演出を実行することにより、有利度示唆演出に関する制御を異ならせることができるとともに、特定条件の成立に関連する所定開始条件が成立した後であることに遊技者を注目させることができるため、遊技の興趣を向上させることができる。
【００２５】
（９）  上記（６）〜（８）のうちのいずれかのスロットマシンにおいて、
前記有利度示唆演出から前記有利度設定手段により設定されている有利度（たとえば、現在設定値）を特定可能となる割合（たとえば、６確定パターンに決定される割合）は、前記特定条件が成立していないときよりも前記特定条件が成立しているときの方が高い（たとえば、図１５（ｂ）および（ｃ））。
【００２６】
このような構成によれば、特定条件が成立することにより、遊技の興趣を向上させることができる。
【００２７】
（１０）  上記（６）〜（９）のうちのいずれかのスロットマシンにおいて、
前記有利度示唆演出から前記有利度設定手段により設定されている有利度を特定可能となる割合が、前記特定条件が成立していないときよりも前記特定条件が成立しているときの方が高い旨を報知する報知演出（たとえば、説明演出）を実行する報知演出実行手段（たとえば、図１６（ｂ））を備える。
【００２８】
このような構成によれば、特定条件が成立することによるメリットを遊技者に対して報知できるため、特定条件が成立しているときの遊技の興趣を向上させることができる。
【００２９】
（１１）  上記（６）のスロットマシンにおいて、
前記特定状態に制御された回数を、前記有利度設定手段により有利度が新たに設定されたとき（たとえば、設定変更状態に移行されたこと、設定値が新たに設定されたことなど）に初期化するとともに、所定時刻（たとえば、午前３時）を跨いで電源投入されたとき（たとえば、遊技場を朝開店させる前の時間帯に最初に電源投入されたとき）にも初期化する初期化する初期化手段（たとえば、サブ制御部９１）を備える。
【００３０】
このような構成によれば、特定状態に制御された回数が初期化されていることから、有利度が新たに設定されているか否かが特定されてしまうことを防止できる。
【００３１】
（１２）  上記（７）のスロットマシンにおいて、
前記単位遊技が行われた回数を、前記有利度設定手段により有利度が新たに設定されたとき（たとえば、設定変更状態に移行されたこと、設定値が新たに設定されたことなど）に初期化するとともに、所定時刻（たとえば、午前３時）を跨いで電源投入されたとき（たとえば、遊技場を朝開店させる前の時間帯に最初に電源投入されたとき）にも初期化する初期化する初期化手段（たとえば、サブ制御部９１）を備える。
【００３２】
このような構成によれば、単位遊技が行われた回数が初期化されていることから、有利度が新たに設定されているか否かが特定されてしまうことを防止できる。
【００３３】
（１３）  上記（８）のスロットマシンにおいて、
前記所定開始条件は、前記有利度設定手段により有利度が新たに設定されたこと（たとえば、設定変更状態に移行されたこと、設定値が新たに設定されたことなど）により成立し、所定時刻（たとえば、午前３時）を跨いで電源投入されたこと（たとえば、遊技場を朝開店させる前の時間帯に最初に電源投入されたこと）によっても成立する条件である。
【００３４】
このような構成によれば、特定状態に制御されて特定条件が成立していることから、有利度が新たに設定されているか否かが特定されてしまうことを防止できる。
【図面の簡単な説明】
【００３５】
【図１】本発明が適用された実施形態のスロットマシンの正面図である。
【図２】リールの図柄配列を示す図である。
【図３】スロットマシンの内部構造を示す斜視図である。
【図４】スロットマシンの構成を示すブロック図である。
【図５】小役の種類、小役の図柄組み合わせ、及び小役に関連する技術事項について説明するための図である。
【図６】再遊技役の種類、再遊技役の図柄組み合わせ、及び再遊技役に関連する技術事項について説明するための図である。
【図７】移行出目の図柄組み合わせ、及び移行出目に関連する技術事項について説明するための図である。
【図８】遊技状態の遷移を説明するための図である。
【図９】遊技状態の概要を示す図である。
【図１０】遊技状態毎に抽選対象役として読み出される抽選対象役の組み合わせについて説明するための図である。
【図１１】遊技状態毎に抽選対象役として読み出される抽選対象役の組み合わせについて説明するための図である。
【図１２】抽選対象役により入賞が許容される役の組み合わせについて説明するための図である。
【図１３】複数の再遊技役当選時のリール制御を説明するための図である。
【図１４】複数のベル当選時のリール制御を説明するための図である。
【図１５】（ａ）は、設定示唆演出関連処理を説明するためのフローチャートであり、（ｂ）および（ｃ）は、設定示唆演出関連処理の抽選において参照されるテーブルを説明するための図である。
【図１６】（ａ）は、設定示唆演出を説明するための図であり、（ｂ）は、説明演出を説明するための図である。
【図１７】第２設定示唆演出関連処理を説明するためのフローチャートである。
【図１８】第２設定示唆演出用パターンの演出内容を説明するための図である。
【図１９】（ａ）は、第２設定示唆演出用パターン決定時テーブルのうちの電断復帰テーブルを説明するための図であり、（ｂ）は、第２設定示唆演出用パターン決定時テーブルのうちの設定変更後テーブルを説明するための図であり、（ｃ）は、第２設定示唆演出用パターン決定時テーブルのうちの通常テーブルを説明するための図である。
【図２０】（ａ）は、変形例１における設定示唆演出関連処理を説明するためのフローチャートであり、（ｂ）は、変形例２における設定示唆演出関連処理を説明するためのフローチャートである。
【発明を実施するための形態】
【００３６】
本発明に係るスロットマシンを実施するための形態を実施例に基づいて以下に説明する。以下の実施の形態では、本発明がスロットマシンに適用された場合の一例を説明する。図１は、本実施形態に係るスロットマシン１の全体構造を示す正面図である。スロットマシン１は、前面が開口する筐体１ａと、この筺体１ａの側端に回動自在に枢支された前面扉１ｂとを含む。前面扉１ｂの中央上部には、液晶表示器５１が設けられている。液晶表示器５１は、表示領域５１ａを有しており、透視窓３に対応する透過領域５１ｂが透過可能である。これにより、表示領域５１ａで所定の演出を実行可能とするとともに、表示領域５１ａのうち透過領域５１ｂが透過することで透視窓３を介して筐体１ａ内部に並設されているリール２Ｌ、２Ｃ、２Ｒ（以下、左リール、中リール、右リールとも称する）が視認可能となる。図２は、各リールの図柄配列を示す図である。リール２Ｌ〜２Ｒには、各々が識別可能な複数種類の図柄が所定の順序で配列されている。なお、リールの個数は、３つに限らず、１つであってもよく、２以上であってもよい。また、可変表示部は、物理的なリールにて構成されている例を示しているが、液晶表示器などの画像表示装置にて構成されているものであってもよい。
【００３７】
液晶表示器５１の右下には、メダルを投入可能なメダル投入部４が設けられ、前面扉１ｂの下部には、メダルが払い出されるメダル払出口９、スピーカ５３、５４が設けられている。
【００３８】
また、前面扉１ｂには、操作手段の一例として、遊技者所有の遊技用価値（メダル数）として記憶されているクレジットの範囲内において遊技状態に応じて定められた規定数の賭数を設定する際に操作されるＭＡＸＢＥＴスイッチ６、クレジットおよび設定済の賭数を精算して返却させる際に操作される精算スイッチ１０、ゲームを開始する際に操作されるスタートスイッチ７、リール２Ｌ〜２Ｒの回転を各々停止する際に操作されるストップスイッチ８Ｌ、８Ｃ、８Ｒ、演出に用いるための演出用スイッチ５６などが設けられている。
【００３９】
前面扉１ｂには、報知手段の一例として、遊技に関する情報を報知する遊技用表示部１３が設けられている。遊技用表示部１３には、クレジットとして記憶されているメダル数が表示されるクレジット表示器１１、メダルの払出枚数やエラー時にエラーコードなどが表示される遊技補助表示器１２、設定されている賭数を報知するための１ＢＥＴＬＥＤ１４、２ＢＥＴＬＥＤ１５、３ＢＥＴＬＥＤ１６、メダル投入が可能であることを報知する投入要求ＬＥＤ１７、スタートスイッチ７の操作によるゲームのスタート操作が可能であることを報知するスタート有効ＬＥＤ１８、スタートスイッチ７の操作後においてウエイト（前回のゲーム開始から一定期間経過していないためにリール２Ｌ、２Ｃ、２Ｒの回転開始を待機している状態）中であることを報知するウエイト中ＬＥＤ１９、リプレイ入賞後のリプレイゲーム中であることを報知するリプレイ中ＬＥＤ２０が設けられている。
【００４０】
また、図２に示すように、前面扉１ｂの内側には、設定値の変更中や設定値の確認中にその時点の設定値が表示される設定値表示器２４などが設けられている。また、筐体１ａ内部には、前述したリール２Ｌ、２Ｃ、２Ｒを含むリールユニット２、電源ボックス１００などが設けられている。
【００４１】
電源ボックス１００の前面には、図２に示すように、設定変更状態または設定確認状態に切り替えるための設定キースイッチ３７、通常時においてはエラー状態や打止状態を解除するためのリセットスイッチとして機能し、設定変更状態においては後述する内部抽選の当選確率（メダルの払出率）の設定値を変更するための設定スイッチとして機能するリセット／設定スイッチ３８、電源をｏｎ／ｏｆｆする際に操作される電源スイッチ３９が設けられている。
【００４２】
なお、前面扉１ｂは、店員等が所持する所定のキー操作により開放可能な構成であるため、電源ボックス１００の前面に設けられた設定キースイッチ３７、リセット／設定スイッチ３８、電源スイッチ３９などは、キーを所持する店員等の者のみが操作可能とされ、遊技者による操作ができないようになっている。また、所定のキー操作により検出されるリセットスイッチ２３も同様である。特に、設定キースイッチ３７は、キー操作により前面扉１ｂを開放したうえで、さらにキー操作を要することから、遊技場の店員のなかでも、設定キースイッチ３７の操作を行うキーを所持する店員のみ操作が可能とされている。
【００４３】
後述する内部抽選、ＡＴ抽選等においては、設定値に応じた当選確率が用いられることにより、設定値に応じてメダルの払出率が変わるようになっている。設定値は、１〜６の６段階からなり、６が最も払出率が高く、５、４、３、２、１の順に値が小さくなるほど払出率が低くなる。すなわち設定値として６が設定されている場合には、遊技者にとって最も有利度が高く、５、４、３、２、１の順に値が小さくなるほど有利度が段階的に低くなる。
【００４４】
設定値を変更するためには、設定キースイッチ３７をｏｎ状態としてからスロットマシン１の電源をｏｎする必要がある。設定キースイッチ３７をｏｎ状態として電源をｏｎすると、設定値表示器２４にＲＡＭ４１ｃから読み出された設定値が表示値として表示され、リセット／設定スイッチ３８の操作による設定値の変更操作が可能な設定変更状態に移行する。設定変更状態において、リセット／設定スイッチ３８が操作されると、設定値表示器２４に表示された表示値が１ずつ更新されていく（設定６からさらに操作されたときは、設定１に戻る）。そして、スタートスイッチ７が操作されると表示値を設定値として確定する。そして、設定キースイッチ３７がｏｆｆされると、確定した表示値（設定値）がメイン制御部４１のＲＡＭ４１ｃに格納され、遊技の進行が可能な状態に移行する。
【００４５】
また、設定値を確認するためには、ゲーム終了後、賭数が設定されていない状態で設定キースイッチ３７をｏｎ状態とすればよい。このような状況で設定キースイッチ３７をｏｎ状態とすると、設定値表示器２４にＲＡＭ４１ｃから読み出された設定値が表示されることで設定値を確認可能な設定確認状態に移行する。設定確認状態においては、ゲームの進行が不能であり、設定キースイッチ３７をｏｆｆ状態とすることで、設定確認状態が終了し、ゲームの進行が可能な状態に復帰することとなる。
【００４６】
また、メイン制御部４１は、設定変更状態への制御を開始および終了を特定するためのコマンド、設定確認状態への制御を開始および終了を特定するためのコマンド、および、設定変更状態において設定された設定値を特定するためのコマンドをサブ制御部９１へ送信する。
【００４７】
スロットマシン１においてゲームを行う場合には、まず、メダルをメダル投入部４に投入するかＭＡＸＢＥＴスイッチ６操作などにより規定数の賭数（例えば３）を設定する。これにより、入賞ラインＬＮが有効となり、スタートスイッチ７への操作が有効となり、ゲームが開始可能な状態となる。賭数設定済の状態でメダルが投入された場合には、その分はクレジットに加算される。
【００４８】
入賞ラインとは、リール２Ｌ〜２Ｒの透視窓３に表示された図柄の組合せが入賞図柄の組合せであるかを判定するためのラインである。本実施形態では、１本の入賞ラインＬＮのみ設けられている例について説明するが、複数の入賞ラインが設けられているものであってもよい。また、入賞を構成する図柄の組合せが入賞ラインＬＮに揃ったことを認識しやすくする無効ラインＬＭ１〜ＬＭ４が設けられている。無効ラインＬＭ１〜ＬＭ４は、入賞判定されるラインではなく、入賞ラインＬＮに特定の入賞図柄の組合せ（いわゆるばらけ目）が揃った際に、無効ラインＬＭ１〜ＬＭ４のいずれかに所定の図柄の組合せ（例えば、ベル−ベル−ベル）を揃えることで、入賞ラインＬＮに特定の入賞を構成する図柄の組合せが揃ったことを認識しやすくするものである。
【００４９】
ゲームが開始可能な状態でスタートスイッチ７が操作されると、リール２Ｌ〜２Ｒを回転させて図柄を変動表示し、ストップスイッチ８Ｌ〜８Ｒが操作されると対応するリールの回転を停止させることで、透視窓３の上中下段に３つの図柄を表示結果として導出表示する。入賞ラインＬＮ上に入賞図柄の組合せが停止し入賞が発生したときには、入賞に応じて、所定枚数のメダルが遊技者に対して付与されて、クレジット加算か、クレジットが上限数（５０）に達した場合にはメダル払出口９からメダルが払い出される。
【００５０】
図３は、スロットマシン１の内部構造を示す図である。図４は、スロットマシン１の機能構成例を示す図である。図４の例では、遊技の進行を制御するとともに、遊技の進行に応じて各種コマンドを出力する遊技制御基板４０、コマンドに応じて所定の演出を制御する演出制御基板９１、電気部品の駆動電源を生成する電源基板１０１、遊技の進行に応じた信号を外部に出力する外部出力基板１０００などが設けられている。
【００５１】
遊技制御基板４０は、各種の操作手段や検出手段（図４の遊技制御基板４０の左側に例示）などのスイッチ類からの検出信号に基づいて遊技を進行させ、報知手段（図４の遊技制御基板４０の左側に例示）などの表示機器類を駆動制御する。また、遊技制御基板４０は、リールセンサ３３Ｌ〜３３Ｒからの信号に基づき、リールモータ３２Ｌ〜３２Ｒを駆動制御する。
【００５２】
遊技制御基板４０には、メイン制御部４１などの回路構成（図４の遊技制御基板４０内に例示）が搭載されている。メイン制御部４１は、遊技の進行に関する処理を行うとともに、遊技制御基板４０に搭載あるいは接続された構成を直接的または間接的に制御する。メイン制御部４１は、１チップマイクロコンピュータであり、ＣＰＵ、ＲＯＭ、ＲＡＭ、Ｉ／Ｏポートなどを備えている。
【００５３】
演出制御基板９０は、演出用スイッチ５６が接続され、また液晶表示器５１などの演出装置（図４の演出制御基板９０の左側に例示）を駆動制御する。演出制御基板９０には、サブ制御部９１などの回路構成（図４の演出制御基板９０内に例示）が搭載されている。サブ制御部９１は、遊技制御基板４０から送信されるコマンドを受けて、演出を行う処理を行うとともに、演出制御基板９０に搭載あるいは接続された構成を直接的または間接的に制御する。サブ制御部９１は、１チップマイクロコンピュータであり、ＣＰＵ、ＲＯＭ、ＲＡＭ、Ｉ／Ｏポートなどを備えている。サブ制御部９１の回路構成には、たとえば、日および時刻のうちの少なくともいずれか一方を計時するための時計装置９７（以下では、ＲＴＣともいう）を含む。サブ制御部９１は、たとえば、ＲＴＣ９７により計時された日および時刻のうちの少なくともいずれか一方の値や、演出用スイッチ５６からの検出信号などに応じて演出制御を実行可能である。電源基板１０１には、ホッパーモータ３４ｂ、各種の操作手段や検出手段（図４の電源基板１０１の右側に例示）などが接続されている。
【００５４】
図５および図６は、入賞役の種類、入賞役の図柄組み合わせ、及び入賞役に関連する技術事項について説明するための図である。名称欄には、入賞役の名称を示し、図柄の組合せ欄には、その入賞役が入賞となる図柄の組合せを示している。また、無効ラインに揃う図柄の組合せ欄には、入賞となる図柄の組合せが入賞ラインに停止したときに無効ラインに停止する図柄の組合せであって遊技者が認識しやすい図柄の組合せを示している。払出枚数欄には、入賞時に付与される価値（メダル払出、再遊技付与）を示している。ＢＢ１、ＢＢ２は、ボーナスという有利な状態への移行を伴う入賞役である。ＢＢ１、ＢＢ２の払出枚数欄には、入賞により移行されるボーナスの終了条件が示されている。ボーナスは、各々、予め定められたメダル枚数以上払出されることにより終了する。たとえば、ＢＢ１に当選・入賞して制御されるボーナスについては、当該ボーナス中に払出されたメダル枚数が３５１枚以上となったゲームにおいて終了する。
【００５５】
また、図６の遊技状態欄には、入賞時に移行される遊技状態などを示している。また、「／」は、「または」を示している。例えば、図６の転落リプレイについて、図柄の組合せは、「ベル‐リプレイ‐ベル」となり、入賞時にはＲＴ１に制御され、付与される価値は再遊技付与である。また、転落リプレイの図柄の組合せが入賞ライン上に停止したときには、無効ライン上に「リプレイ／プラム‐リプレイ‐リプレイ／プラム」が停止する。また、特別リプレイの図柄の組合せが入賞ライン上に停止したときには、無効ライン上に「黒ＢＡＲ／白ＢＡＲ−黒ＢＡＲ／白ＢＡＲ−黒ＢＡＲ／白ＢＡＲ」が停止する。「黒ＢＡＲ／白ＢＡＲ−黒ＢＡＲ／白ＢＡＲ−黒ＢＡＲ／白ＢＡＲ」は、特別リプレイに当選しているときにのみ無効ライン上に停止可能であって、特別リプレイに当選していないときにはいずれのライン上にも停止されない図柄の組合せである。
【００５６】
図７は、移行出目の図柄組合せを示す図である。移行出目は、図１４に示す左ベル１〜４、中ベル１〜４、右ベル１〜４が当選し、右下がりベルあるいは中段ベルの入賞条件となるリール以外を第１停止とし、かつ当選している上段ベルを取りこぼした場合に、入賞ラインＬＮに揃う出目である。ＲＴ０、２、３中において移行出目が入賞ラインＬＮ上に停止すると、ＲＴ１へ移行される。
【００５７】
図８は、メイン制御部４１により制御される遊技状態の遷移を説明するための図であり、図９は、遊技状態及びＲＴの概要を示す図である。本実施形態におけるスロットマシン１は、リプレイが所定の当選確率（図９の上図の再遊技役欄の数値参照）で当選するＲＴ０〜ＲＴ４と、小役の当選確率がＲＴ０〜ＲＴ４中であるときよりも向上するボーナスとを含む複数種類の遊技状態のうち、開始条件が成立してから終了条件が成立するまで対応するいずれかの遊技状態に制御される（図８の矢印に沿って示した入賞役あるいは出目参照、図９の上図の開始条件・終了条件欄の参照）。
【００５８】
ＢＢ１、ＢＢ２のいずれかに当選したときには、ＲＴ４に制御される。ＢＢ１、ＢＢ２のいずれかが当選したときに設定される当選フラグは、当選しているＢＢの入賞が発生するまで持ち越される。また、ＲＴ４についても、ＢＢ当選からＢＢ入賞発生まで継続して制御される。ＲＴ４中においては、ＲＴ１およびＲＴ３中よりも高く、ＲＴ０およびＲＴ２中よりも低い確率（図９の上図の再遊技役欄の数値参照）でリプレイに当選する。なお、ＲＴ４におけるリプレイ確率は、当選した小役を取りこぼすことなく入賞させることができたとしても、払出率が１を超えない確率に設定されている。つまり、ＲＴ４におけるリプレイ確率は、ＲＴ４中に当選した小役を取りこぼすことなく入賞させた場合に払出されるメダルの合計枚数が、ＲＴ４中においてメダルあるいはクレジットを賭数の設定に用いたメダルの合計枚数を超えず、メダルが増加しない確率に設定されている。ＲＴ４中においてＢＢ入賞が発生すると、ボーナスに制御されて、図５で説明したメダル枚数以上払出されることによりボーナス終了となり、ＲＴ３へ制御される。内部抽選されるリプレイの種類は、ＲＴの種類毎に定められている（図９の下図の丸印が抽選されるリプレイを示す）。
【００５９】
図１０および図１１は、遊技状態毎に抽選対象役（以下、当選役ともいう）として読み出される抽選対象役の組合せを示す図である。抽選対象役欄には、その名称を示し、遊技状態欄には、ＲＴの種類毎に、丸印でその抽選対象役が抽選対象であることを示し、丸印の下の数値により当選確率にかかわる判定値数を示している。例えば、ベルは、ＲＴ０〜ＲＴ３いずれかの状態において、３６０／６５５３６で当選する抽選対象役である。ＲＴ４中は、ボーナス抽選されないが、ボーナスと同時当選し得る入賞役（以下では、同時当選役ともいう）の当選確率が他のＲＴ中と同確率となるように、同時当選役であるベルや弱スイカについては括弧内に示す判定値数で内部抽選が行われる。図１０および図１１に示す判定値数は、設定値が「１」に設定されているときの判定値数を示す。複数種類の抽選対象役には、設定値が大きくなるほど判定値数が多くなるように定められた抽選対象役（たとえば、強・弱スイカ、強・弱・中段チェリー、ボーナス１〜１２など）が含まれる。
【００６０】
図９および図１１に示すように、特別リプレイは、ＲＴ２およびＲＴ４に制御されているときに抽選対象役となるように定められている。また、図６に示すように、特別リプレイがＲＴ２中に入賞したときには上乗せ抽選が行われ、特別リプレイがＲＴ４中に入賞したときには設定示唆演出が行われる。上乗せ抽選および設定示唆演出については後述する。
【００６１】
また、ボーナス中においては、たとえば、中段ベルが抽選対象役に設定されており、極めて高い確率（６４０００／６５５３６）で当選するように定められている。また、中段ベルは、操作タイミングにかかわらず入賞を発生し得る役である。このため、ボーナス中においては、操作タイミングおよび操作手順にかかわらず、極めて高い確率で中段ベル入賞を発生させることができ、メダル枚数を効率的に増加させることができる。このため、ボーナスは、遊技者にとって有利な状態である。
【００６２】
図１２は、抽選対象役に含まれる入賞役の組合せを示す図である。例えば、弱チェリーは、下段チェリーである。弱スイカは、右下がりスイカと、上段スイカと、中段スイカとを含む。よって、内部抽選で弱スイカに当選したときには、右下がりスイカと、上段スイカと、中段スイカとに当選したことになる。
【００６３】
抽選対象役のうちボーナス１〜ボーナス１２は、ＢＢ１またはＢＢ２と弱チェリーやベルなどの所定の入賞役が同時に読み出されて当選し得る役である。また、図１０で示したように、ボーナス１〜ボーナス１２は、異なる判定値数が定められている。このため、遊技者にとっての有利度であって、同時当選役に当選したときにＢＢ１またはＢＢ２が実際に同時当選している割合（以下、信頼度ともいう）が、ボーナス６や１２などに含まれる中段チェリーが最も高く、続いて、強チェリー、強スイカ、弱チェリー、弱スイカの順となり、ベル（以下、中段ベルともいう）が最も低くなるように、判定値数が定められている。
【００６４】
図１３および図１４は、複数の入賞役が同時当選したときのリール制御を説明するための図である。当選した抽選対象役毎に、押し順欄に示す押し順で停止操作されたときに、その右の停止する図柄組合せに示す入賞役の図柄組合せを入賞ラインＬＮに停止させるリール制御が行なわれる。例えば、リプレイＧＲ１が当選したときにおいて、押し順が左中右であるときは、昇格リプレイ１が導出されて、押し順が左中右以外であるときは通常リプレイが導出される。また、例えば、左ベルが当選したときにおいて、押し順が左第１停止であるときは、右下がりベルが導出されて、押し順が左第１停止以外であれば、上段ベルまたは移行出目が導出される。
【００６５】
また、同時当選役に当選しているときには、当該同時当選役に当選していないときと異なるリール制御が行われ得る。たとえば、弱スイカに当選しているときには、中段スイカよりも右下がりスイカあるいは上段スイカを優先して入賞ライン上に引き込むリール制御が行われるのに対し、強スイカに当選しているときには、右下がりスイカおよび上段スイカのいずれよりも中段スイカを優先して入賞ライン上に引き込むリール制御が行われる。また、弱チェリーあるいは強チェリーが当選しているときには、下段チェリーを入賞ライン上に引き込むリール制御が行われ、中段チェリーが当選しているときには、中段チェリーを入賞ライン上に引き込むリール制御が行われる。これにより、リール２Ｌ〜２Ｒが停止したときの図柄の組合せから、チェリーかスイカか、弱か強か、あるいは、中段チェリーか否かなどを推定可能となり、ボーナス当選あるいはＡＴ当選に対する期待感を異ならせることができる。
【００６６】
スロットマシン１における“ゲーム”とは、狭義には、スタートスイッチ７が操作されてからリール２Ｌ〜２Ｒが停止するまでをいうが、ゲームを行う際にスタートスイッチ７の操作前の賭数設定や、リール２Ｌ〜２Ｒの停止後にメダルの払い出しや遊技状態の移行も行われるので、これらの付随的な処理も広義には“ゲーム”に含まれる。
【００６７】
［ゲーム処理］
メイン制御部４１は、ゲーム制御処理を行って１回のゲームを制御する。ゲーム制御処理では、まず、賭数設定やクレジット精算・賭数精算するためのＢＥＴ処理が行われる。
【００６８】
賭数設定後、スタートスイッチ７が操作されると、所定の乱数回路から乱数値を抽出し、当該抽出した乱数値に基づいて入賞の発生を許容するか否かを決定（内部抽選）するための内部抽選処理（図１０〜図１２など参照）が行われる。乱数回路は、所定の数値範囲（０〜６５５３５）内の数値を所定の更新規則にしたがって更新する。メイン制御部４１は、スタートスイッチ７が操作されたときに乱数回路が更新している数値を乱数値として抽出する。内部抽選において抽選対象役に当選したときには、当該抽選対象役に含まれる入賞役の当選フラグがＲＡＭの所定領域に設定される。たとえば、ＢＢ１に当選したときには、ＢＢ１当選フラグが設定され、強チェリーに当選したときには、下段チェリーの当選フラグと、１枚役の当選フラグとが設定される。ＢＢ１、ＢＢ２の当選フラグについては、当選したＢＢに入賞するまで持ち越される一方、ＢＢ１、ＢＢ２以外の入賞役に対応する当選フラグは、入賞の発生の有無にかかわらず、当選したゲームが終了したときに消去される。
【００６９】
内部抽選処理が終了すると、リール回転処理が行われる。リール回転処理では、前回ゲームのリール回転開始から所定時間（例えば、４．１秒）経過していることを条件に、リール２Ｌ〜２Ｒの回転を開始させた後、ストップスイッチ８Ｌ〜８Ｒを有効化し、停止操作に応じてリールの回転を停止させる（図１３、図１４など参照）。リール回転処理では、所定のフリーズ条件が成立しているときに、ゲームの進行を所定期間に亘って遅延（ストップスイッチ８Ｌ〜８Ｒ各々の停止操作の有効化を遅延）させるフリーズ演出を実行するためのフリーズ演出処理を実行した後に、ストップスイッチ８Ｌ〜８Ｒを有効化して通常ゲームに移行させる。
【００７０】
リール２Ｌ〜２Ｒが停止してリール回転処理が終了すると、入賞ライン上の図柄組合せに基づいて入賞などが発生したか否かを判定する入賞判定処理（図５〜図７など参照）が行われる。また、入賞ライン上の図柄組合せに応じて、図８で示した状態に制御する。
【００７１】
入賞判定処理が終了すると、払出処理が行われる。払出処理では、入賞の発生に応じてメダルの払出しまたはクレジット加算や、入賞に関わらない各種の処理（たとえば、ボーナス中のメダル払出枚数を計数してボーナスの終了制御に関する処理や、持ち越しのない当選フラグ（小役・再遊技役等の当選フラグ）の消去など）が行われる。また、ＢＢ１、ＢＢ２のいずれかに入賞したと判定されたときには、入賞したＢＢの当選フラグを消去する。ゲーム終了時処理では、次のゲームに備えて遊技状態を設定する処理（図８、図９など参照）を実行する。これにより、１ゲーム分のゲーム制御処理が終了し、次の１ゲーム分のゲーム制御処理が開始する。
【００７２】
［ＡＴに関する処理について］
メイン制御部４１は、ボーナスやＲＴ２などの有利な状態に加えて、ＡＴ（アシストタイム）に制御可能である。メイン制御部４１は、ＡＴに制御するか否かのＡＴ抽選を実行する。また、メイン制御部４１は、ＡＴ抽選でＡＴに制御すると決定した場合にＡＴに制御し、遊技者にとって有利な図柄組合せを入賞ラインＬＮ上に停止させるための操作手順（押し順）を特定可能なナビ演出を実行するための処理を実行する。
【００７３】
メイン制御部４１は、非ＡＴ中においては、特定の抽選対象役（本実施形態では、図１２に示すベル、弱スイカ、強スイカ、弱チェリー、強チェリー、中段チェリー、ＢＢ１、ＢＢ２）が当選した場合に、ＡＴに制御するか否かを決定するＡＴ抽選処理を行う。ＡＴ抽選処理は、たとえば内部抽選処理において内部抽選が行われた後に実行されるようにしてもよく、１ゲームの進行において予め定められたタイミングで実行されるものであればよい。なお、特定の抽選対象役は、内部抽選においてＢＢ１、ＢＢ２、同時当選役である例について説明するが、これに限らず、同時当選役の一部を含むものであってもよく、またＢＢ１またはＢＢ２と同時当選し得ない入賞役を含むものであってもよい。
【００７４】
ＡＴ抽選処理では、ＡＴに制御するか否かを決定するとともに、ＡＴに制御すると決定したときには、複数種類のゲーム数（５０、１００、１５０、２００、２５０、３００）からＡＴゲーム数を決定する。ＡＴゲーム数は、メイン制御部４１のＲＡＭの所定領域において記憶する。また、メイン制御部４１は、ＡＴを開始するタイミングを抽選する。メイン制御部４１は、たとえば、ＡＴ当選ゲームから０〜３２ゲーム経過でＡＴを開始すること（ＡＴを開始するタイミング）を乱数値の抽選により決定する。
【００７５】
遊技者にとっての有利度である、ＡＴ抽選においてＡＴに制御すると決定される信頼度やＡＴに制御するときに決定されるＡＴゲーム数の期待値（獲得する平均ゲーム数）は、特定の抽選対象役の種類に応じて異なるように定められており、たとえば、中段チェリーが最も高く、続いて、強チェリー、強スイカ、弱チェリー、弱スイカの順となり、ベルが最も低くなるようにＡＴ抽選が行われる。また、ＡＴ抽選においてＡＴに制御すると決定される信頼度、および、ＡＴに制御するときに決定されるＡＴゲーム数の期待値は、同じ特定の抽選対象役に当選しているときであっても、当該特定の抽選対象役がＢＢ１またはＢＢ２と同時当選していないとき（たとえば、強チェリー当選時）よりも、ＢＢ１またはＢＢ２と同時当選しているとき（たとえば、ＢＢ１＋強チェリー当選時）の方が高くなるようにＡＴ抽選が行われる。
【００７６】
サブ制御部９１は、内部抽選において同時当選役に当選してＡＴ抽選が行われたときには、ＢＢ当選およびＡＴ当選したか否かを示唆する当選示唆演出を所定タイミングで実行するための処理を行う。当選示唆演出としては、たとえば、所定画像を液晶表示器５１に表示させる演出が設けられている。所定画像を表示させる演出には、たとえば、キャラクタＡ演出、キャラクタＢ演出、ボタン演出、連打演出、などが含まれる。このような所定画像を表示させる演出は、スピーカ５３、５４から所定の効果音を出力する制御や、演出効果ＬＥＤ５２やリールＬＥＤ５５などを点灯させる制御とともに行われる。なお、いずれかの制御が単独で行われてもよいし、２つ以上の組合せ（たとえば、所定画像と音とが実行され、ＬＥＤの点灯が実行されない等）で実行されるようにしてもよい。
【００７７】
キャラクタＡ演出とは、キャラクタＡを表示させる演出である。キャラクタＢ演出とは、キャラクタＢを表示させる演出である。ボタン演出とは、ボタン画像を表示させて演出用スイッチ５６への操作を促し、演出用スイッチ５６への操作に応じてＢＢ当選あるいはＡＴ当選の信頼度を示唆する所定画像を表示させる演出である。連打演出とは、演出用スイッチ５６への連打操作を促し、所定操作期間内における演出用スイッチ５６への連打操作に応じて所定のメータ画像を増加させて、ＭＡＸに到達することなどによりＢＢ当選あるいはＡＴ当選している旨を示唆する演出である。
【００７８】
サブ制御部９１は、ＢＢ当選およびＡＴ当選しているか、ＢＢ当選あるいはＡＴ当選のいずれか一方だけ当選しているか、あるいは、ＢＢ当選もＡＴ当選もしていないかに応じて異なる割合で、当選示唆演出を実行するか否か、および、実行する当選示唆演出の種別をいずれにするかを決定するための当選示唆演出抽選処理を実行する。
【００７９】
当選示唆演出抽選処理では、少なくともＢＢ当選あるいはＡＴ当選しているときには必ず当選示唆演出を実行する旨を決定し、ＢＢ当選もＡＴ当選もしていないときでも所定割合で当選示唆演出を実行する旨を決定する。所定割合は、たとえばＢＢ当選の信頼度が高い小役当選であるとき程、高い割合に設定されている。これにより、当選示唆演出は、ＢＢ当選あるいはＡＴ当選している場合だけでなく、ＢＢ当選もＡＴ当選もしていないときでも実行される。
【００８０】
また、当選示唆演出抽選処理では、当選示唆演出を実行すると決定したときには、少なくともＢＢ当選あるいはＡＴ当選しているかいずれにも当選していないかに応じて異なる割合で当選示唆演出の種別を決定する。具体的に、遊技者にとっての有利度であって、実行されたときにＢＢ当選あるいはＡＴ当選している信頼度が、連打演出、ボタン演出、キャラクタＢ演出の順となり、キャラクタＡ演出が最も低くなるように、当選示唆演出の種別が決定されるように割合が定められている。なお、実行する演出としては、一の当選示唆演出が決定されるものに限らず、複数の当選示唆演出が決定され得るようにしてもよい。
【００８１】
サブ制御部９１は、後述する内部当選コマンドおよびＡＴ抽選時コマンドにより、特定の抽選対象役に当選したこと、ＡＴ当選したこと、ＡＴの当選または非当選、ＡＴゲーム数、ＡＴ開始タイミングを特定する。当選示唆演出を実行する所定タイミングは、ＡＴを開始するタイミングの抽選（ＡＴ当選ゲームから０〜３２ゲーム経過でＡＴを開始することの抽選）で決定されたＡＴ開始タイミングの前ゲームである。たとえば、ＡＴ開始タイミングが０ゲーム後と決定されたなら当該ゲーム（ＡＴ当選ゲームにてＡＴ当選が報知される）に当選示唆演出が実行される。また、ＡＴ開始タイミングが３２ゲーム経過後と決定されたなら３１ゲーム間は、前兆演出（ＡＴ当選を煽る演出）を実行し、３２ゲーム目に当選示唆演出を実行し、ＡＴ当選を報知する。
【００８２】
ここで、サブ制御部９１は、ＡＴに非当選したことをＡＴ抽選時コマンドにより特定した場合にもガセの演出として当選示唆演出（ＡＴが非当選であることを報知する演出）を実行する。たとえば、サブ制御部９１は、内部当選コマンドにより特定の抽選対象役に当選し、ＡＴ抽選時コマンドによりＡＴに非当選であることを特定することができるが、ＡＴを開始するタイミングは、メイン制御部４１では決定されていない。このような場合には、サブ制御部９１が０〜３２ゲームからガセの当選示唆演出を実行するゲーム数の抽選を行い、ガセの当選示唆演出のゲーム数を決定する。
【００８３】
メイン制御部４１は、ＢＢ当選せずにＡＴ当選しているときにはＡＴ開始タイミングとなったときに、ＡＴフラグを設定してＡＴに制御する。一方、メイン制御部４１は、ＢＢ当選とともにＡＴ当選しているときには、ＢＢ入賞してボーナスが終了したときにＡＴフラグを設定し、ボーナス終了後の次のゲームからＡＴに制御する。ここで、ＡＴへの制御は、たとえばＡＴ開始タイミングが１０ゲームと決定されている場合には、１０ゲームが０ゲームとなったタイミングで制御されるようにしてもよいし、０ゲームとなった次のゲームのタイミングで制御されるようにしてもよい。
【００８４】
ＡＴフラグは、メイン制御部４１のＲＡＭの所定領域において記憶し、ＡＴゲーム数が０に到達したときにクリアされる。メイン制御部４１は、ＡＴフラグに基づいてＡＴ中であるか否かを特定する。ＡＴ中においては、後述するようにナビ演出が実行される結果、ＲＴ２に制御可能となる。ＡＴ開始後におけるＡＴゲーム数の減算は、たとえば、ＲＴ０において特殊リプレイに当選（減算開始契機が成立）した次のゲームから開始する。ＢＢ終了後に開始されるＡＴについても同様である。これにより、メイン制御部４１は、決定したＡＴゲーム数にわたりＡＴ＋ＲＴ２に制御可能となる。
【００８５】
メイン制御部４１は、ＡＴ中においては、特別の抽選対象役（本実施形態では、特別リプレイ）が当選した場合に、ＡＴゲーム数を上乗せするか否かを決定する上乗せ抽選を行う。上乗せ抽選は、たとえば内部抽選処理において内部抽選が行われた後に実行されるようにしてもよく、１ゲームの進行において予め定められたタイミングで実行されるものであればよい。
【００８６】
上乗せ抽選では、ＡＴゲーム数を上乗せするか否かを決定するとともに、上乗せすると決定したときには、複数種類のゲーム数（５０、１００、１５０、２００、２５０、３００）からＡＴゲーム数に上乗せする上乗せゲーム数を決定する。決定された上乗せゲーム数は、メイン制御部４１のＲＡＭの所定領域において記憶されているＡＴゲーム数に加算される。これにより、メイン制御部４１は、ＡＴに制御するゲーム数を上乗せする。
【００８７】
サブ制御部９１は、上乗せ抽選が行われたときには、上乗せ当選したか否かを示唆する上乗せ示唆演出を所定タイミングで実行するための処理を行う。上乗せ示唆演出としては、所定画像を液晶表示器５１に表示させる演出など、どのようなものであってもよい。
【００８８】
［各種コマンドについて］
メイン制御部４１は、上記に例示した処理の実行に応じた遊技の進行状況および処理結果を特定可能なコマンドをサブ制御部９１に送信する。サブ制御部９１は、メイン制御部４１からのコマンドに基づいて、各種処理を行う。
【００８９】
本実施形態では、メイン制御部４１がサブ制御部９１に対して、内部当選コマンド、ストップスイッチやスタートスイッチの操作コマンド、遊技状態コマンド、ＡＴ抽選時コマンド、ＡＴ中コマンド、ＡＴゲーム数コマンド、当選示唆演出抽選時コマンドなどを含む複数種類のコマンドを送信する。
【００９０】
内部当選コマンドは、内部当選フラグの当選状況、並びに成立した内部当選フラグの種類、特別役の持ち越しの有無を特定可能なコマンドであり、スタートスイッチ７が操作されてゲームが開始したときに送信される。サブ制御部９１は、内部当選コマンドに基づいて、所定の入賞役に当選しているときに当該入賞役を特定可能な情報（ナビ演出とは異なる情報）を報知可能である。たとえば、同時当選役や特定の抽選対象役当選を示す内部当選フラグを受信したときには、同時当選役や特定の抽選対象役のいずれに当選しているかを報知可能である。これにより、同時当選役や特定の抽選対象役のうちいずれに当選しているかを遊技者に報知可能となり、遊技者の期待感を向上させることができる。
【００９１】
ストップスイッチやスタートスイッチの操作コマンドはストップスイッチやスタートスイッチが操作されたことを示すコマンドであり、各操作時に送信される。遊技状態コマンドは遊技状態が移行したときに送信される。具体的にはＲＴが移行したときやボーナスに制御されたときに送信される。
【００９２】
ＡＴ抽選時コマンドは、ＡＴ抽選が行われたときに送信され、ＡＴ抽選に当選したか否か、当選したＡＴゲーム数が何ゲームであるか、および、ＡＴ開始タイミングが何ゲーム目（ＡＴ当選から何ゲーム目）であるかなどを特定可能なコマンドである。
【００９３】
ＡＴ中コマンドは、ゲームが開始したときに送信され、当該ゲームがＡＴ中におけるゲームであるか否かを特定可能なコマンドである。たとえば、ＡＴゲーム数が付与されていてもＡＴフラグがセットされておらずＡＴが開始されていなければ、非ＡＴを特定可能なコマンドが送信され、ＡＴゲーム数が付与されておりかつＡＴフラグがセットされておりＡＴが開始されているときには、ＡＴを特定可能なコマンドが送信される。
【００９４】
ＡＴゲーム数コマンドは、メイン制御部４１が管理するＡＴゲーム数を特定可能なコマンドであって、ゲームが開始したときに送信される。たとえば、ＡＴゲーム数が０であるときには、０を特定可能なコマンドが送信され、ＡＴゲーム数が１００であるときには、１００を特定可能なコマンドが送信される。
【００９５】
当選示唆演出抽選時コマンドは、当選示唆演出抽選が行われたときに送信され、当選示唆演出抽選に当選して当選示唆演出を実行するか否か、当選した同時当選役の種別がいずれであるかなどを特定可能なコマンドである。サブ制御部９１は、当選示唆演出抽選時コマンドに基づき、当選示唆演出を実行する旨およびその種別を特定したときには、その種別およびＢＢ抽選・ＡＴ抽選の結果などに応じた当選示唆演出を次ゲーム開始時に実行した後に、ＢＢ抽選およびＡＴ抽選の結果を報知する。
【００９６】
ＢＢ抽選およびＡＴ抽選の結果としては、いずれも非当選であったときには「残念！」といったメッセージを液晶表示器５１に表示させる演出が実行され、ＢＢ当選であったときには「ＢＢ確定！」といったメッセージを液晶表示器５１に表示させる演出が実行され、ＡＴ当選であったときには「ＡＴ確定！」といったメッセージとともに「１００ゲーム獲得！」といったように獲得したＡＴゲーム数を特定可能なメッセージを液晶表示器５１に表示させる演出が実行され、ＢＢ当選かつＡＴ当選であったときには「ＢＢ・ＡＴ確定！」といったメッセージとともに「ＢＢ終了後１００ゲームに亘りＡＴ！」といったように獲得したＡＴゲーム数を特定可能なメッセージを液晶表示器５１に表示させる演出が実行される。なお、ＢＢ当選したゲームにおいてＢＢ入賞した場合には、サブ制御部９１は、ＢＢ当選を報知するための当選示唆演出を実行しない。
【００９７】
また、サブ制御部９１は、ＡＴ中コマンドに基づきＡＴ中であるか否かを判別して、状態に応じた背景画像による演出を液晶表示器５１において実行させるとともに、ＡＴ中であるときには内部当選コマンドに基づきナビ演出を実行する。また、サブ制御部９１は、ＡＴゲーム数コマンドに基づき、ＡＴゲーム数のみならず、前回受信時のＡＴゲーム数との差数を算出することでＡＴ当選あるいは上乗せ当選により獲得したＡＴゲーム数を特定し、上乗せ示唆演出を実行する。
【００９８】
本実施の形態では、状態に応じた背景画像による演出、ナビ演出、当選示唆演出、および、上乗せ示唆演出などをサブ制御部９１が所定の報知手段を制御することにより実行する例について説明した。しかし、これらサブ制御部９１の制御に替えてあるいは加えて、状態に応じた背景画像による演出、ナビ演出、当選示唆演出、および、上乗せ示唆演出などについては、メイン制御部４１に接続された報知手段を当該メイン制御部４１が制御することにより実行するようにしてもよい。たとえば、状態に応じた背景画像による演出については、図４に示す遊技補助表示器１２を用いて、状態に対応する情報を表示することにより実行するようにしてもよい。また、ナビ演出については、図４に示す左・中・右停止有効ＬＥＤ２２Ｌ〜２２Ｒを用いて、停止すべきストップスイッチに対応するＬＥＤのみを点灯させることにより実行するようにしてもよい。なお、左・中・右停止有効ＬＥＤ２２Ｌ〜２２Ｒとは、ストップスイッチ８Ｌ、８Ｃ、８Ｒの内部に設けられ、通常時においては対応するストップスイッチ８Ｌ、８Ｃ、８Ｒによるリールの停止操作が有効である旨を点灯により報知するＬＥＤである。また、当選示唆演出、および、上乗せ示唆演出については、図４に示す遊技補助表示器１２を用いて、抽選結果に応じた情報を表示し、ＡＴ当選あるいは上乗せ当選しているときには獲得したＡＴゲーム数を表示するようにしてもよい。
【００９９】
［ゲームの流れ］
ここで、図８および図９を再び参照し、ゲームの流れに関しまとめて説明する。まず、ＲＴ４およびボーナス以外のＲＴ０〜ＲＴ３におけるゲームの流れを説明する。ＲＴ０〜３においては、ＡＴ中であるか否かによって、それぞれ、以下に説明するようなゲームの流れとなる。まず、非ＡＴ中のゲームの流れについて説明する。
【０１００】
設定変更状態が終了した後において、ＲＴ３に制御される。設定変更状態に制御されることにより非ＡＴとなるため、ＲＴ３ではＡＴに制御されず、ナビ演出が実行されない。このように、ＲＴ３においてナビ演出が実行されることがないため、ＲＴ３において左ベル１〜４などのベルのうちの何れかに当選すると、第２停止と第３停止のタイミングによっては移行出目が導出される（図１４参照）。よって、いつまでも移行出目が導出されずにＲＴ１に移行されないといった不都合の発生を防止することができる。
【０１０１】
ＲＴ１では、昇格リプレイに入賞することにより、ＲＴ０に移行する。昇格リプレイに入賞するためには、図１３で示したように、リプレイＧＲ１〜６の何れかに当選しかつ昇格リプ入賞させるための操作手順で停止操作する必要がある。
【０１０２】
また、ＲＴ０に制御された場合でも、当該ＲＴ０への制御を維持することが困難となるように設定されている。すなわち、図１１および図１３で示したように、ＲＴ０では、リプレイＧＲ１１〜１３に当選する可能性があり、このときには２/３の確率で転落リプレイが入賞してＲＴ１に転落してしまう。
【０１０３】
さらに、ＲＴ０で左ベル１〜４などのベルのうち何れかに当選した場合において、所定のリール（図１４に示す右下がりベルあるいは中段ベルを入賞させるためのリール）以外が第１停止されたときには、第２停止と第３停止のタイミングによっては移行出目が導出されてＲＴ１に転落してしまう。また、図１１および図１３で示したように、ＲＴ０では、リプレイＧＲ２１〜２３に当選する可能性があり、このときに、所定のリール（図１３に示す特殊リプレイを入賞させるためのリール）を第１停止すると特殊リプレイが入賞してＲＴ２に制御される可能性がある。しかし、ＲＴ２に制御された場合でも、左ベル１〜４などのベルのうち何れかに当選したときには、所定のリール（図１４に示す右下がりベルあるいは中段ベルを入賞させるためのリール）以外が第１停止されたときには、第２停止と第３停止のタイミングによっては移行出目が導出されてＲＴ１に転落してしまう。その結果、非ＡＴ中のときの遊技の大部分は、ＲＴ１において消化されることとなる。
【０１０４】
次に、ＡＴ中であるときのゲームの流れについて説明する。ＲＴ１では、リプレイＧＲ１〜６の何れかに当選したときに、昇格リプレイを入賞させるための操作手順を特定するためのナビ演出が実行され得る。このため、ナビ演出に従って停止操作を行うことにより、昇格リプレイの入賞によりＲＴ０に移行させることができる。ＲＴ０では、リプレイＧＲ１１〜１３の何れかに当選したときに、通常リプレイを入賞させるための操作手順を特定するためのナビ演出が実行され得る。このため、ナビ演出に従って停止操作を行うことにより、通常リプレイ入賞によりＲＴ０を維持することができる。また、ＲＴ０では、左ベル１〜４、中ベル１〜４、および右ベル１〜４のうち何れかに当選したときに、右下がりベルまたは中段ベルを入賞させるための操作手順を特定するためのナビ演出が実行される。このため、ナビ演出に従って停止操作を行うことにより、移行出目の導出を回避させてＲＴ０を維持させることができる。さらに、ＲＴ０では、リプレイＧＲ２１〜２３の何れかに当選したときに、特殊リプレイを入賞させるための操作手順を特定するためのナビ演出が実行され得る。このため、ナビ演出に従って停止操作を行うことにより、特殊リプレイ入賞によりＲＴ２に移行させることができる。
【０１０５】
ＲＴ２では、左ベル１〜４、中ベル１〜４、および右ベル１〜４のうち何れかに当選したときに、右下がりベルまたは中段ベルを入賞させるための操作手順を特定するためのナビ演出が実行される。このため、ナビ演出に従って停止操作を行うことにより、移行出目の導出を回避させてＲＴ２を維持させることができる。
【０１０６】
このように、本実施の形態のスロットマシン１において、ＡＴ中であるときには、ＲＴ２に制御されるように、かつＲＴ２が維持されるように、ナビ演出が実行されるため、ＡＴ中であるときの遊技の大部分は、ＲＴ２において消化されることとなる。なお、ＡＴはＡＴゲーム数が０になると終了する。ＡＴのゲーム数は、ＲＴ２＋ＡＴ（本実施の形態では、遊技者にとって有利なＲＴ２においてＡＴに制御されている状態を、特に、アシストリプレイタイム（以下、ＡＲＴという）と呼ぶ。）に制御することが可能になったゲームの次ゲーム、すなわちＲＴ０でリプレイＧＲ２１〜２３のいずれかに当選し、特殊リプレイが入賞可能となったゲームの次ゲームからカウント開始される。これにより、実質的にはＡＲＴでＡＴゲーム数分のゲームを消化するとＡＴが終了する。そして、ＡＴの終了によりＡＲＴが終了することとなる。
【０１０７】
ＡＲＴが終了した後においてはナビ演出が実行されなくなるが、移行出目が導出するまでＲＴ２への制御が維持される。しかし、ＡＲＴが終了した後のＲＴ２中は、非ＡＴ中であるため、前述したように左第１停止される。一方、中ベル１〜４または右ベル１〜４のうち何れかに当選したときには、左第１停止すると第２停止と第３停止のタイミングによっては移行出目が導出されてＲＴ１に転落してしまう。その結果、ＡＲＴが終了した後のＲＴ２中においては、ＡＲＴが終了してから極めて早い段階で移行出目が停止することによりＲＴ１に移行される。
【０１０８】
次に、ＢＢ１あるいはＢＢ２に当選した後のゲームの流れについて説明する。いずれのＲＴに制御されているかにかかわらず、ＢＢ１あるいはＢＢ２に当選したときには、図８で示したとおり、ＲＴ４へ制御される。また、ＢＢ当選ゲーム終了後の次ゲームにおいて当選示唆演出が実行されてＢＢ当選している旨が報知されて、遊技者はＢＢ１あるいはＢＢ２に当選したことを把握することができる。ＢＢ入賞が発生すると、対応するボーナスに移行されて、所定の終了枚数払出されたときに終了して、ＲＴ３へ移行される。
【０１０９】
［設定示唆演出について］
スロットマシン１のサブ制御部９１は、設定されている設定値に応じて、設定値を示唆する設定示唆演出を実行するための処理を行う。サブ制御部９１は、設定変更状態において設定された設定値を特定するためのコマンドに基づき、当該コマンドから特定される設定値と同じ値をＲＡＭ９１ｃに格納しており、当該値からＲＡＭ４１ｃに記憶されている設定値（以下では、「現在設定値」ともいう）を特定する。設定示唆演出は、ＢＢやＡＴなどの特定状態において、特定条件が成立しているか否かに応じた割合に基づいて実行される第１設定示唆演出と、ＲＴ４中において特別リプレイが入賞する毎に実行される第２設定示唆演出とが設けられている。以下では、第１設定示唆演出と第２設定示唆演出とをまとめて設定示唆演出という場合がある。
【０１１０】
以下では、まず、図１５および図１６を参照して第１設定示唆演出について説明した後、図１７〜図１９を参照して第２設定示唆演出について説明する。図１５（ａ）は、第１設定示唆演出の実行に関する第１設定示唆演出関連処理を説明するためのフローチャートであり、図１５（ｂ）および（ｃ）は、第１設定示唆演出関連処理の抽選において参照されるテーブルを説明するための図である。
【０１１１】
第１設定示唆演出関連処理は、１ゲームが開始されたとき（内部抽選が行われるとき）にサブ制御部９１により実行される。しかし、第１設定示唆演出関連処理は、予め定められたタイミングで実行されるものであれば、これに限らず、たとえば、１ゲームが終了したときなどに実行されるものであってもよい。
【０１１２】
Ｓ０１においては、ＢＢまたはＡＴへの制御が今回ゲームから開始されるか否かが判定される。ＢＢへの制御が開始されるときとは、たとえば、前回ゲームにおいてＢＢ１またはＢＢ２入賞となった後、次のゲームが開始されるときをいう。また、ＡＴへの制御が開始されるときとは、たとえば、非ＡＴ中におけるＡＴ抽選においてＡＴに制御すると決定され、ＡＴを開始するタイミングに到達したときをいう。なお、Ｓ０１では、ＢＢまたはＡＴなどの特定状態への制御に関連する所定タイミングであるか否かを判定するものであれば、制御開始タイミングか否かを判定するものに限らず、制御されることが決定されたタイミングや、制御が終了するタイミングなどどのようなタイミングであってもよい。
【０１１３】
Ｓ０１においてＢＢまたはＡＴへの制御開始タイミングではないと判定されたときには、そのまま、第１設定示唆演出関連処理を終了する。一方、ＢＢまたはＡＴへの制御開始タイミングであると判定されたときには、Ｓ０２において、ＢＢへの制御開始タイミングであるときには、ＢＢに制御された回数を特定するためのＢＢ回数カウンタを１加算し、ＡＴへの制御開始タイミングであるときには、ＡＴに制御された回数を特定するためのＡＴ回数カウンタを１加算する。
【０１１４】
ＢＢ回数カウンタおよびＡＴ回数カウンタの値は、各々、サブ制御部９１のＲＡＭ９１ｃの所定領域において格納され、設定変更状態に制御されたときや、スロットマシン１が設置される遊技場において朝一電源が投入されたときなどに初期化される。設定変更状態に制御されたときとは、たとえば、設定変更状態への制御を開始および終了を特定するためのコマンドを受信したときをいう。また、朝一電源が投入されたときとは、たとえば、電源が投入されたときに、サブ制御部９１によりＲＴＣ９７が計時する日時情報を取得して午前３時以降において初めて電源が投入されたと判定されたときをいう。
【０１１５】
Ｓ０３においては、Ｓ０２で加算されたＢＢ回数カウンタまたはＡＴ回数カウンタの値が「３」の倍数であるか否かが判定される。たとえば、ＢＢへの制御が開始されたときには、今回ＢＢを含めてＢＢへの制御回数が「３」の倍数であるという特定条件が成立しているか否かが判定される。
【０１１６】
Ｓ０３において「３」の倍数であると判定されたときには、Ｓ０４において特定条件成立時テーブルを参照して第１設定示唆演出の抽選を行う一方、Ｓ０３において「３」の倍数ではないと判定されたときには、Ｓ０５において特定条件不成立時テーブルを参照して第１設定示唆演出の抽選を行い、第１設定示唆演出関連処理を終了する。サブ制御部９１は、Ｓ０４またはＳ０５の抽選で決定された第１設定示唆演出を特定状態における所定タイミングで実行する。特定状態における所定タイミングとは、後述するように、特定状態が終了するときにおいてエンディングを表示するときを例示するが、これに限らず、特定状態が開始されたタイミングや、特定状態中において払出されたメダル枚数が所定枚数に到達したときなど所定条件が成立したタイミングなどであってもよい。
【０１１７】
第１設定示唆演出としては、図１５（ｂ）などに示すように、６確定パターン、高設定確定パターン、および１以外確定パターンが設けられている。６確定パターンとは、現在設定値が「６」であることを示唆する第１設定示唆演出である。高設定確定パターンは、現在設定値が「４」〜「６」のいずれかであることを示唆する第１設定示唆演出である。１以外確定パターンは、現在設定値が少なくとも「１」以外であることを示唆する第１設定示唆演出である。
【０１１８】
Ｓ０４で参照される特定条件成立時テーブルは、図１５（ｂ）に示すように、現在設定値に応じて割合が定められている。現在設定値が「６」であるときには、１０％の割合で６確定パターンに、７％の割合で高設定確定パターンに、５％の割合で１以外確定パターンに、７８％の割合で第１設定示唆演出なしに決定される。現在設定値が「４」または「５」であるときには、１０％の割合で高設定確定パターンに、５％の割合で１以外確定パターンに、８５％の割合で第１設定示唆演出なしに決定される。現在設定値が「２」または「３」であるときには、１０％の割合で１以外確定パターンに、９０％の割合で第１設定示唆演出なしに決定される。現在設定値が「１」であるときには、１００％の割合で第１設定示唆演出なしに決定される。
【０１１９】
Ｓ０５で参照される特定条件不成立時テーブルは、図１５（ｃ）に示すように、現在設定値に応じて割合が定められている。現在設定値が「６」であるときには、１％の割合で６確定パターンに、２％の割合で高設定確定パターンに、３％の割合で１以外確定パターンに、９４％の割合で第１設定示唆演出なしに決定される。現在設定値が「４」または「５」であるときには、１％の割合で高設定確定パターンに、２％の割合で１以外確定パターンに、９７％の割合で第１設定示唆演出なしに決定される。現在設定値が「２」または「３」であるときには、２％の割合で１以外確定パターンに、９８％の割合で第１設定示唆演出なしに決定される。現在設定値が「１」であるときには、１００％の割合で第１設定示唆演出なしに決定される。
【０１２０】
このように特定条件成立時テーブルおよび特定条件不成立時テーブルの割合が定められているため、たとえば、特定条件が成立しているときには、不成立時であるときよりも高い割合で、いずれかの第１設定示唆演出が実行される。また、第１設定示唆演出の種類を決定するための振分率は、特定条件が成立しているときと成立していないときとで異なるように定められており、特定条件が成立しているときの方が第１設定示唆演出として６確定パターンや高設定確定パターンに決定されやすくなるように定められている。また、現在設定値が高い程、第１設定示唆演出の実行割合が高くなるように定められている。
【０１２１】
図１６は、設定示唆に関連する演出内容を説明するための図である。図１６（ａ）は、第１設定示唆演出を説明するための図である。第１設定示唆演出は、制御開始されたＢＢまたはＡＴが終了する際のエンディング演出中に実行される。
【０１２２】
通常のエンディング演出では、液晶表示器５１に通常のキャラクタを出現させる演出であるが、第１設定示唆演出が実行されるときには通常のキャラクタと異なるキャラクタが出現する。６確定パターンは、エンディング演出中において予め定められた超プレミアキャラクタを出現させる演出である。高設定確定パターンは、エンディング演出中において予め定められたプレミアキャラクタを出現させる演出である。１以外確定パターンは、エンディング演出中において予め定められたレアキャラクタを出現させる演出である。
【０１２３】
１以外確定パターンは、現在設定値が「１」以外の「２」〜「６」の５つの設定値のうちいずれかであることを特定できるのに対して、高設定確定パターンは、現在設定値が「４」〜「６」の３つの設定値に絞ることができ、６確定パターンは、現在設定値が「６」であることを特定できる。このように、現在設定値として特定できる設定値の個数が１以外確定パターン＞高設定確定パターン＞６確定パターンとなるため、設定示唆の精度は、図１６（ａ）の精度欄に示すように６確定パターンが最も高く、続いて高設定確定パターンとなり、１以外確定パターンが最も低いといえる。
【０１２４】
また、図１５（ｂ）および（ｃ）で示したように、特定条件が成立しているときの方が、特定条件が成立していないときよりも、精度が高い第１設定示唆演出が実行されやすい。サブ制御部９１は、ＢＢ中やＡＴ中ではない通常時において、図１６（ｂ）に示す説明演出を実行する。説明演出とは、特定条件成立時の方が精度の高い第１設定示唆演出が実行されやすい旨を事前に説明する演出である。図１６（ｂ）に示すように、液晶表示器５１に「発生回数が３の倍数となるＢＢ・ＡＴのエンディング中の設定示唆は高精度！！」といったメッセージを表示することにより説明演出が実行される。
【０１２５】
次に、第２設定示唆演出について説明する。図１７は、第２設定示唆演出の実行に関する第２設定示唆演出関連処理を説明するためのフローチャートである。第２設定示唆演出関連処理は、１ゲームが終了したとき（表示結果が導出されたとき）にサブ制御部９１により実行される。しかし、第２設定示唆演出関連処理は、予め定められたタイミングで実行されるものであれば、これに限らず、たとえば、１ゲームが開始したときに前回ゲーム結果に基づいて実行されるものであってもよい。
【０１２６】
Ｓ２０においては、今回終了したゲームがＲＴ４中におけるゲームであったか否かが判定される。ＲＴ４中におけるゲームであったと判定されたときには、Ｓ２１において特別リプレイに入賞したか否かが判定される。特別リプレイに入賞したと判定されたときには、予め定められている禁則条件が不成立であるか否かが判定される。禁則条件とは、たとえば、今回のＲＴ４中（当選しているボーナスが入賞するまでの間）において、特別リプレイ入賞して第２設定示唆演出が既に実行されているときや、特別な演出（たとえば、ロングフリーズ、プレミア的な演出）を実行中であるときなどに成立する。
【０１２７】
禁則条件が不成立であると判定されたときには、Ｓ２３において、第２設定示唆演出用カウンタと第２設定示唆演出用パターンとに基づいて、実行する第２設定示唆演出を設定する。設定された第２設定示唆演出は、即座に実行されるものであってもよく、ＢＥＴ操作時や、次回ゲームのリール回転開始時、リール回転中などに実行するものであってもよい。
【０１２８】
第２設定示唆演出用パターンとは、ＲＴ４中の特別リプレイ入賞毎に実行する第２設定示唆演出の組合せとして特定個数（たとえば、３つ）の第２設定示唆演出を特定するためのパターンである。第２設定示唆演出用パターンは、特定される第２設定示唆演出の組合せが異なるパターンが複数種類定められている。サブ制御部９１は、電源復帰されたときや、第２設定示唆演出用カウンタが「３」となり決定されたパターンによる演出が一巡したときなど、所定タイミングでいずれかの第２設定示唆演出用パターンを決定する。第２設定示唆演出用パターンは、サブ制御部９１のＲＯＭの所定領域に格納されている。本実施の形態における特定個数は、第１設定示唆演出に関する特別条件を成立させる値と同じ数に定められているが、これに限らず、異なる数に定められているものであってもよい。
【０１２９】
また、第２設定示唆演出用カウンタとは、ＲＴ４中の特別リプレイ入賞毎に更新され、第２設定示唆演出用パターンから特定される第２設定示唆演出の組合せのうち、何番目の第２設定示唆演出を実行するかを特定するためのカウンタである。第２設定示唆演出用カウンタは、サブ制御部９１のＲＡＭの所定領域において更新される。
【０１３０】
ここで、図１８を参照して、第２設定示唆演出用パターンの演出内容を説明する。第２設定示唆演出用パターンとしては、パターンＡ〜Ｄが定められている。パターンＡは、特別リプレイ入賞時における第２設定示唆演出用カウンタの値が、「１」であるときにキャラクタＡを出現させる演出を特定し、「２」であるときにキャラクタＣを出現させる演出を特定し、「３」であるときにキャラクタＡを出現させる演出を特定する。このため、特別リプレイ入賞毎に第２設定示唆演出として出現させるキャラクタを、キャラクタＡ→キャラクタＣ→キャラクタＣの順で特定することができる。
【０１３１】
また、パターンＢ〜Ｄについても、同様に、第２設定示唆演出用カウンタの値に応じて、パターンＢであれば特別リプレイ入賞毎にキャラクタＡ→キャラクタＢ→キャラクタＢの順で第２設定示唆演出を特定でき、パターンＣであれば特別リプレイ入賞毎にキャラクタＡ→キャラクタＣ→キャラクタＢの順で第２設定示唆演出を特定でき、パターンＤであれば特別リプレイ入賞毎にキャラクタＡ→キャラクタＢ→キャラクタＣの順で第２設定示唆演出を特定できる。
【０１３２】
これにより、第２設定示唆演出用カウンタの値が「１」のときには、いずれのパターンであっても共通して、キャラクタＡを出現させる演出が第２設定示唆演出として特定されるため、いずれのパターンであるか特定不能にすることができる。
【０１３３】
また、第２設定示唆演出用カウンタの値が「２」のときには、パターンＡあるいはＣであるときと、パターンＢあるいはＤであるときとで、異なるキャラクタを出現させる演出が第２設定示唆演出として特定される。このため、キャラクタＢが出現したときには、パターンＢあるいはＤであることを特定でき、キャラクタＣが出現したときには、パターンＡあるいはＣであることを特定できる。一方、パターンＢおよびＤのいずれであるかや、パターンＡおよびＣのいずれであるかを特定不能にすることができる。
【０１３４】
また、第２設定示唆演出用カウンタの値が「３」のときには、パターンＡとパターンＣとで異なるキャラクタを出現させる演出が第２設定示唆演出として特定され、パターンＢとパターンＤとで異なるキャラクタを出現させる演出が第２設定示唆演出として特定される。このため、キャラクタＣが出現した後に、キャラクタＣが出現したときには、パターンＡであることを特定でき、キャラクタＢが出現したときには、パターンＣであることを特定できる。また、キャラクタＢが出現した後に、キャラクタＢが出現したときには、パターンＢであることを特定でき、キャラクタＣが出現したときには、パターンＤであることを特定できる。
【０１３５】
図１７に戻り、Ｓ２４においては、第２設定示唆演出用カウンタが特定個数に相当する「３」であるか否かが判定される。「３」でないときには、Ｓ２８において第２設定示唆演出用カウンタの値を１加算更新し、第２設定示唆演出関連処理を終了する。これにより、次回のＢＢ当選に伴うＲＴ４中におけるＳ２３では、Ｓ２８において１加算更新後の第２設定示唆演出用カウンタの値に基づいて第２設定示唆演出が特定される。
【０１３６】
一方、Ｓ２４において第２設定示唆演出用カウンタが「３」であると判定されたときには、Ｓ２５において最終回報知を設定する。最終回報知とは、Ｓ２３において設定されて実行される第２設定示唆演出が、第２設定示唆演出用カウンタ「３」に対応する最終回の演出である旨を報知する演出である。最終回報知としては、たとえば、第２設定示唆演出として出現させるキャラクタが「最終回だ！」といった音声を発しているかのように、スピーカ５３、５４から音声を発することにより実行される。
【０１３７】
Ｓ２６では、通常テーブルを参照して、次回以降の第２設定示唆演出を特定するための第２設定示唆演出用パターンを決定する。図１９は、第２設定示唆演出用パターンを決定するための第２設定示唆演出用パターン決定時テーブルを説明するための図である。第２設定示唆演出用パターン決定時テーブルは、サブ制御部９１のＲＯＭの所定領域に格納されている。
【０１３８】
サブ制御部９１は、電源復帰されたとき、および、第２設定示唆演出用カウンタが「３」となり決定されたパターンによる演出が一巡したときに、第２設定示唆演出用パターンを決定する。電源復帰されたときには、設定変更を伴わないときと、設定変更を伴うときとが含まれる。電源復帰されたときであって設定変更を伴わなかったときには、図１９（ａ）に示す電断復帰テーブルを参照して第２設定示唆演出用パターンを決定する。電源復帰されたときであって設定変更を伴うときには、図１９（ｂ）に示す設定変更後テーブルを参照して第２設定示唆演出用パターンを決定する。図１８のＳ２６のように、第２設定示唆演出用カウンタが「３」となり決定されたパターンによる演出が一巡したときには、図１９（ｃ）に示す通常テーブルを参照して第２設定示唆演出用パターンを決定する。
【０１３９】
図１９に示すように、電断復帰テーブル、設定変更後テーブル、および、通常テーブルは、各々、設定されている設定値である現在設定値に応じて割合が定められている。まず、図１９（ａ）を参照して電断復帰テーブルについて説明する。現在設定値が「６」であるときには、５％の割合でパターンＡに、５％の割合でパターンＢに、５％の割合でパターンＣに、８５％の割合でパターンＤに決定される。また、現在設定値が「４」または「５」であるときには、５％の割合でパターンＢに、５％の割合でパターンＣに、９０％の割合でパターンＤに決定される。現在設定値が「２」または「３」であるときには、５％の割合でパターンＣに、９５％の割合でパターンＤに決定される。現在設定値が「１」であるときには、１００％の割合でパターンＤに決定される。
【０１４０】
設定変更後テーブルおよび通常テーブルについても同様に、図１９（ｂ）および（ｃ）に示すように、現在設定値に応じて定められている割合にしたがって、パターンＡ〜Ｄのうちから第２設定示唆演出用パターンが決定される。第２設定示唆演出用パターンが決定された後においては、当該第２設定示唆演出用パターンによる演出が一巡するまで、当該決定された第２設定示唆演出用パターンに基づいて第２設定示唆演出が特定される。
【０１４１】
図１９に示すように、いずれのテーブルについても、パターンＡは現在設定値が「６」のときにのみ決定可能となり、パターンＢは現在設定値が「４」〜「６」であるときにのみ決定可能となり、パターンＣは「２」〜「６」つまり「１」以外であるときにのみ決定可能となる。このため、パターンＡは、現在設定値が「６」であることを示唆するパターンであるといえ、パターンＢは、現在設定値が「４」〜「６」のいずれかであることを示唆するパターンであるといえ、パターンＣは、現在設定値が少なくとも「１」以外であることを示唆するパターンであるといえる。一方、パターンＤは、現在設定値を特定不可能なパターンであるといえる。つまり、パターンＤは現在設定値を特定できず、パターンＣは、現在設定値が「１」以外の「２」〜「６」の５つの設定値のうちいずれかであることを特定できるのに対して、パターンＢは、現在設定値が「４」〜「６」の３つの設定値に絞ることができ、パターンＡは、現在設定値が「６」であることを特定できる。このように、現在設定値として特定できる設定値の個数がパターンＤ＞パターンＣ＞パターンＢ＞パターンＡとなるため、設定示唆の精度は、パターンＡが最も高く、続いてパターンＢ、Ｃとなり、パターンＤが低いといえる。
【０１４２】
このため、第２設定示唆演出用パターンの決定は、どのように設定値を示唆するか、示唆する設定値を特定しているともいえる。また、現在設定値の推測に役立てることができる点においてパターンＤよりもパターンＡ〜Ｃの方が、遊技者にとって有利なパターンであるといえる。このような有利なパターンに決定される割合を比較すると、設定変更後テーブルが最も高く、続いて電断復帰テーブルが高く、通常テーブルが最も低くなるように定められている。このため、第２設定示唆演出に関する有利度は、設定変更後が最も高く、続いて電断復帰テーブルが高く、通常テーブルが最も低くなるように定められているといえる。これにより、電断復帰あるいは設定変更後（たとえば、朝一）から遊技を行うことに対するモチベーションを向上させつつ、その後においてもパターンＡ〜Ｃに決定されることに対する期待感を持続させることができる。
【０１４３】
図１７に戻り、Ｓ２７においては、第２設定示唆演出用カウンタを「１」に設定し、第２設定示唆演出関連処理を終了する。これにより、次回以降のＢＢ当選に伴うＲＴ４中におけるＳ２３では、Ｓ２６において決定された第２設定示唆演出用パターンおよび第２設定示唆演出用カウンタの値「１」から特定される第２設定示唆演出を設定して実行されることになる。
【０１４４】
次に、前述した実施の形態における告知演出により得られる主な効果を説明する。
（１）  前述した実施の形態では、図１７〜図１９で示したように、ＲＴ４中において「黒ＢＡＲ／白ＢＡＲ−黒ＢＡＲ／白ＢＡＲ−黒ＢＡＲ／白ＢＡＲ」のいずれかが停止する毎に実行される第２設定示唆演出が、パターンＡ〜Ｄのうちいずれのパターンの組合せとなるかに応じて、現在設定値が「６」であることを示唆しているのか、「４」〜「６」のいずれかであることを示唆しているのか、少なくとも「１」以外であることを示唆しているのかを特定可能となる。このため、少なくとも「黒ＢＡＲ／白ＢＡＲ−黒ＢＡＲ／白ＢＡＲ−黒ＢＡＲ／白ＢＡＲ」のいずれかが複数回導出されてパターンを特定できるまで遊技を継続することへの意欲を持続させることができ、遊技の興趣を向上させることができる。
【０１４５】
（２）  前述した実施の形態では、図１８に示すように、パターンＡおよびＣ、パターンＢおよびＤは、各々、第２設定示唆演出用カウンタが「２」まで共通のキャラクタが特定される。このため、第２設定示唆演出用カウンタ「３」に対応する第２設定示唆演出が実行されるまで、いずれのパターンであるかを特定不能とし、その結果、示唆対象となる設定値を特定不能にすることができる。
【０１４６】
（３）  前述した実施の形態では、図１７のＳ２５で示したように、第２設定示唆演出用カウンタ「３」に対応する第２設定示唆演出が実行されるときに、今回の第２設定示唆演出が最終回である旨を報知する最終回報知が実行される。これにより、何度か第２設定示唆演出が実行された後の途中段階から遊技を行っている遊技者であっても、最終回報知が実行されることにより何回目の第２設定示唆演出であるかを把握可能となり、パターンを推測するといった面白みを提供でき、遊技の興趣を向上させることができる。
【０１４７】
（４）  前述した実施の形態における第２設定示唆演出は、ＢＢ当選後のＲＴ４中に実行可能となる。このため、ＢＢ当選してＲＴ４に制御されることに対する期待感を向上させることができるとともに、ＲＴ４中における遊技の興趣を向上させることができる。
【０１４８】
（５）  前述した実施の形態では、電源復帰されたときや、第２設定示唆演出用カウンタが「３」となり決定されたパターンによる演出が一巡したときなどの所定開始条件が成立したときに、サブ制御部９１は、第２設定示唆演出用パターンを決定し、以降に発生させる第２設定示唆演出の種類を特定する。このため、たとえば、特別リプレイが入賞する毎に第２設定示唆演出の種類を決定するようなものと比較して、第２設定示唆演出を実行するための処理負担を軽減することができる。
【０１４９】
（６）  前述した実施の形態では、ＢＢやＡＴなどの特定状態において実行され得る第１設定示唆演出について、図１５（ａ）のＳ０３〜Ｓ０５、図１５（ｂ）、および図１５（ｃ）で示したように、ＢＢ回数やＡＴ回数が３の倍数であることにより特定条件が成立しているときと特定条件が成立していないときとで、異なるテーブルを参照して実行される。これにより、特定条件の成否に応じて第１設定示唆演出に関する制御を異ならせることができるとともに、特定条件の成立に関連するＢＢ回数やＡＴ回数に遊技者を注目させることができるため、遊技の興趣を向上させることができる。
【０１５０】
（７）  前述した実施の形態では、現在設定値を特定可能となる６確定パターンに決定される割合が、特定条件が成立していないときよりも特定条件が成立しているときの方が高い。また、現在設定値を３つに絞るとともに高設定であることを特定可能となる高設定確定パターンに決定される割合についても、特定条件が成立していないときよりも特定条件が成立しているときの方が高い。また、第１設定示唆演出が実行される割合についても、特定条件が成立していないときよりも特定条件が成立しているときの方が高い。このため、特定条件が成立することにより、遊技の興趣を向上させることができる。
【０１５１】
（８）  前述した実施の形態では、図１６（ｂ）で示したように、説明演出が実行される。これにより、特定条件が成立することによるメリットを遊技者に対して報知できるため、特定条件が成立しているときの遊技の興趣を向上させることができる。
【０１５２】
（９）  前述した実施の形態では、特定条件の成立に関連するＢＢ回数やＡＴ回数が設定変更状態に制御されることにより初期化されるとともに、設定変更状態に移行されなくても朝一電源が投入されたときにも初期化される。これにより、ＢＢ回数やＡＴ回数が初期化されていることから、設定変更されたか否かが特定されてしまうことを防止できる。
【０１５３】
本発明は、上記の実施の形態に限られず、種々の変形、応用が可能である。以下、本発明に適用可能な上記の実施の形態の変形例について説明する。
【０１５４】
［第２設定示唆演出用パターンおよび第２設定示唆演出について］
前述した実施の形態では、図１９などで示したように、現在設定値を特定可能な特定可能パターン（パターンＡ）と、現在設定値が複数の設定値に絞り込むことが可能な絞り込みパターン（パターンＢ、Ｃなど）とを例示したが、このうち特定可能パターンは、設定値６を特定可能にするパターンに限らず、他の設定値（たとえば、設定値５）を特定可能にするパターンが設けられているものであってもよい。また、第２設定示唆演出は、特定可能パターンが設けられておらず、現在設定値を絞り込むことができる設定値数（たとえば、絞り込まれる設定値数が３個、４個など）が異なる複数種類の絞り込みパターンのみから構成されるものであってもよい。
【０１５５】
また、前述した実施の形態における図１８では、第２設定示唆演出用パターンの一例を示したが、１回の第２設定示唆演出からではパターンを特定できないものであれば、これに限るものではない。たとえば、キャラクタＡ〜Ｃ以外のキャラクタを出現させるパターンが設けられているものであってもよく、また、第２設定示唆演出用カウンタの値が「１」であるときにもキャラクタＡ以外のキャラクタが特定されるパターンが設けられているものであってもよい。また、１回の第２設定示唆演出からではパターンを特定できないパターンが複数設けられているものであれば、１回の第２設定示唆演出によりパターンを特定できるものが極めて低確率でプレミア的に実行され得るものであってもよい。
【０１５６】
また、前述した実施の形態においては、１パターンが３つの演出の組合せから構成される例について説明したが、これに限らず、１パターンは、２つの演出の組合せや、４つ以上の演出の組合せから構成されるものであってもよい。また、パターン毎に、当該パターンの組合せを構成する演出の数が異なるものであってもよい。たとえば、パターンＣは、図１８に示す３つの演出から構成されるパターンであるのに対し、パターンＡに相当するパターンが４つの演出から構成されものであってもよい。この場合、パターンＡに相当するパターンは、たとえば、３つ目までの演出はパターンＣと同じであり、４つ目の演出としてたとえばキャラクタＡ以外のキャラクタＣなどが設定されているものであってもよい。これにより、３回目の演出としてキャラクタＢが出現した後、４回目の演出がキャラクタＣとなったときにパターンＡ相当のパターンであることを特定可能となり、キャラクタＡとなったときにパターンＣであることを特定可能となる。
【０１５７】
また、前述した実施の形態においては、特定事象の一例として、複数種類のキャラクタのうちのいずれかを出現させる第２設定示唆演出を示したが、特定事象は、これに限らず、複数種類の動画のうちのいずれかが流れる演出であってもよく、複数種類のフリーズ（遊技の進行を遅延させる制御）のうちのいずれかを実行する演出であってもよい。
【０１５８】
［第２設定示唆演出の実行契機について］
前述した実施の形態においては、第２設定示唆演出を実行する契機として、取りこぼしが生じ得ない特別リプレイに入賞することを例示した。しかし、特別リプレイが他のリプレイなどと同時に当選し得る特別抽選対象役を設け、特別抽選対象役当選時における停止操作手順が、特定操作手順であるときにのみ特別リプレイに入賞し、特定操作手順以外であるときには他のリプレイが入賞するようにリール制御を行うことにより、必ずしも「黒ＢＡＲ／白ＢＡＲ−黒ＢＡＲ／白ＢＡＲ−黒ＢＡＲ／白ＢＡＲ」が停止されず特別リプレイに入賞しないものであってもよい。このように構成した場合においても、「黒ＢＡＲ／白ＢＡＲ−黒ＢＡＲ／白ＢＡＲ−黒ＢＡＲ／白ＢＡＲ」が停止されて特別リプレイが入賞したときに、第２設定示唆演出用パターンに基づく第２設定示唆演出を実行可能となるようにしてもよい。また、特別リプレイが入賞したときに所定の抽選を行い、当該所定の抽選で当選したときに、第２設定示唆演出用パターンに基づく第２設定示唆演出を実行するようにしてもよい。
【０１５９】
さらに、特別抽選対象役に当選した場合には、特定操作手順を報知するようにしてもよい。特別抽選対象役は複数種類設けられており、特定操作手順は、特別抽選対象役の種類に応じて異なる手順が定められている。この場合において、たとえば、特別リプレイを入賞させる特定操作手順が右中左に定められている特別抽選対象役に当選したときには、「右中左」といったメッセージを表示するようにしてもよい。また、特別リプレイを含む特別抽選対象役に当選していないときであっても、黒ＢＡＲあるいは白ＢＡＲが聴牌し得るような当選状況（たとえば、上段ベル当選時など）において、操作手順を報知するようにしてもよい。これにより、操作手順が報知されたときには、特別リプレイ入賞して第２設定示唆演出が実行されることに対する期待感を抱かせることができる。
【０１６０】
また、第２設定示唆演出の実行契機は、ＲＴ４などの許容状態に制御されると当該許容状態中において少なくとも１回は成立することを期待できる程度の割合で成立するものであってもよい。たとえば、ＲＴ４中における内部抽選では、前述した特別抽選対象役に当選する確率が１／４〜１／３などに定められているものであってもよい。この場合において、禁則条件と整合させるために、特定操作手順は、たとえばＲＴ４などの許容状態において１回目の特別抽選対象役当選時にのみ報知し、２回目以降の特別抽選対象役当選時においては特定操作手順とは異なる操作手順を報知して、「黒ＢＡＲ／白ＢＡＲ−黒ＢＡＲ／白ＢＡＲ−黒ＢＡＲ／白ＢＡＲ」以外の図柄組合せを停止させるようにしてもよい。
【０１６１】
また、第２設定示唆演出の実行契機は、特定の入賞役に当選することにより成立するものに限らず、いずれの入賞役も当選していない「はずれ」となることにより成立するものであってもよい。これにより、第２設定示唆演出の実行契機がＲＴ４などの許容状態に制御されると当該許容状態中において少なくとも１回は成立することに期待感を抱かせることができる。また、この場合において、はずれ時における停止操作手順が、特定操作手順であるときにのみはずれとなる図柄組合せのうち特定の図柄組合せを停止させ、特定操作手順以外であるときには特定の図柄組合せ以外のはずれ図柄組合せを停止させるようにリール制御を行ってもよい。この場合においても、禁則条件と整合させるために、特定操作手順は、たとえばＲＴ４などの許容状態において１回目のはずれ時にのみ報知し、２回目以降のはずれ時においては特定操作手順とは異なる操作手順を報知して、特定の図柄組合せ以外の図柄組合せを停止させるようにしてもよい。
【０１６２】
以上のように、第２設定示唆演出の実行契機がＲＴ４などの許容状態に制御されると当該許容状態中において少なくとも１回は成立することを期待できるようにすることにより、許容状態に制御されると第２設定示唆演出用パターンから特定される組合せのうちの１つを把握できることになるため、安心感を抱かせることができる。
【０１６３】
また、第２設定示唆演出の実行契機は、特別リプレイに当選することにより成立するものであってもよく、ＲＴ４などの許容状態に制御されてからボーナス入賞させることなく所定ゲーム数消化することにより成立するものであってもよい。
【０１６４】
また、第２設定示唆演出用パターンに基づく第２設定示唆演出を実行する契機はまた、特別リプレイは、ＲＴ４中であるときに抽選対象役となる例について説明したが、これに限らず、たとえば、遊技の大半を占める状態（たとえば、ＲＴ１）中であるときに抽選対象役となるものであってもよい。これにより、第２設定示唆演出の実行される期間を長くすることができ、遊技の興趣を向上させることができる。
【０１６５】
［最終回報知に関連して］
前述した実施の形態では、第２設定示唆演出用パターンから特定される最終回の第２設定示唆演出を実行するときに最終回報知を行う例について説明した。しかし、第２設定示唆演出用パターンから特定される第２設定示唆演出のうちのいずれの第２設定示唆演出であるかを特定可能な情報を報知するものであれば、最終回に限らず、たとえば、１回目の第２設定示唆演出である旨を報知するようにしてもよい。また、第２設定示唆演出とは別の演出を実行するものに限らず、たとえば、いずれの第２設定示唆演出用パターンであっても、１回目のときのみ第２設定示唆演出としてキャラクタＡを出現させる演出を実行することにより、第２設定示唆演出用パターンから特定される第２設定示唆演出のうちのいずれの第２設定示唆演出であるかを特定可能となるようにしてもよい。
【０１６６】
また、所定操作により第２設定示唆演出用カウンタをリセットするようにしてもよい。たとえば、演出用スイッチ５６などを操作することにより、第２設定示唆演出用カウンタの値を１に戻すようにしてもよい。この場合であっても、次に実行される第２設定示唆演出がいずれの演出であるかを特定可能とすることができる。
【０１６７】
［特定条件について］
前述した実施の形態では、特定条件として、ＢＢ回数またはＡＴ回数が「３」の倍数となり、今回のＢＢまたはＡＴが所定回数目に該当することを例示した。しかし、特定条件は、「３」の倍数に限らず、他の数の倍数であることにより成立するものであってもよい。また、特定条件は、倍数に限らず、今回のＢＢまたはＡＴが所定の数値範囲に該当することにより成立するものであってもよく、たとえば、今回のＢＢまたはＡＴが８〜１０回目、１８〜２０回目、２８〜３０回目…のいずれかに該当することにより成立するものであってもよい。また、特定条件は、特定状態の種類に応じて異なる条件が定められているものであってもよい。たとえば、ＢＢ回数に伴う特定条件は、今回のＢＢが「３」の倍数であることにより成立し、ＡＴ回数に伴う特定条件は、今回のＡＴが８〜１０回目、１８〜２０回目、２８〜３０回目…のいずれかに該当することにより成立するものであってもよい。
【０１６８】
また、特定条件は、ＢＢ回数およびＡＴ回数の各々に応じて成立するものに限らず、たとえば、ＢＢ回数とＡＴ回数との合算回数に応じて成立するものであってもよい。つまり、特定状態が複数種類設けられており、特定条件は、複数種類の特定状態のいずれかに制御された回数が所定回数目となる特定状態であることにより成立する条件であってもよい。具体的には、ＢＢあるいはＡＴへの制御が開始される毎に共通の回数カウンタの値を１加算し、当該回数カウンタの値に応じて特定条件を成立させるようにしてもよい。
【０１６９】
なお、前述した実施の形態および変形例におけるＡＴ回数は、非ＡＴ中におけるＡＴ抽選においてＡＴに制御すると決定されてＡＴに制御された回数である例について説明したが、これに加えて、ＡＴ中において上乗せ抽選で当選した回数をも含めた回数であってもよい。この場合、上乗せ抽選で付与されたＡＴゲーム数が所定ゲーム数（たとえば５０ゲーム）以上であることを条件として、ＡＴ回数を加算するようにしてもよい。
【０１７０】
また、特定条件は、ＢＢ回数やＡＴ回数に応じて成立するものに限らず、その他の事象に応じて成立するものであってもよい。図２０は、変形例における第１設定示唆演出関連処理を説明するためのフローチャートである。以下では、図１５で説明した第１設定示唆演出関連処理と異なる技術事項について説明する。
【０１７１】
図２０（ａ）は、特定条件が消化したゲーム数に応じて成立する変形例１における第１設定示唆演出関連処理が示されている。Ｓ０１においてＢＢまたはＡＴへの制御開始タイミングであると判定されたときには、Ｓ０２’において、前回のＢＢまたはＡＴ終了後から今回のＢＢまたはＡＴ当選までに消化したゲーム数が「３００」以上であったか否かを判定する。消化したゲーム数は、サブ制御部９１により、前回のＢＢまたはＡＴ終了後からＢＢまたはＡＴ当選するまでの間において、ゲームが開始される毎に１ずつ加算される消化ゲーム数カウンタの値から特定される。消化ゲーム数カウンタは、サブ制御部９１のＲＡＭ９１ｃの所定領域において格納され、ＢＢまたはＡＴへの制御が開始されたときや、設定変更状態に制御されたとき、スロットマシン１が設置される遊技場において朝一電源が投入されたときなどに初期化される。
【０１７２】
Ｓ０２’において消化したゲーム数が「３００」以上であると判定されたときには、Ｓ０４において特定条件成立時テーブルを参照して第１設定示唆演出の抽選を行う一方、Ｓ０２’において消化したゲーム数が「３００」以上ではないと判定されたときには、Ｓ０５において特定条件不成立時テーブルを参照して第１設定示唆演出の抽選を行い、第１設定示唆演出関連処理を終了する。このように、変形例１における特定条件は、前回のＢＢまたはＡＴなどの特定状態終了後から今回の特定状態への制御が許容されるまでに消化したゲーム数が「３００」以上であったときに成立する。なお、特定条件を成立させる基準となるゲーム数は、「３００」に限らず、他の数であってもよい。また、特定条件を成立させる基準となるゲーム数は、１の数に限らず、複数の数が定められているものであってもよく、たとえば、消化したゲーム数が０〜５０、１００〜１５０、２００〜２５０、３００〜３５０…などのいずれかに該当することにより成立するものであってもよい。また、特定条件は、特定状態の種類に応じて異なる条件が定められているものであってもよい。たとえば、ＢＢ開始に伴う特定条件は、当該ＢＢ当選までに消化したゲーム数が「３００」以上であることにより成立し、ＡＴ開始に伴う特定条件は、当該ＡＴ当選までに消化したゲーム数が０〜５０、１００〜１５０、２００〜２５０、３００〜３５０…などのいずれかに該当することにより成立するものであってもよい。
【０１７３】
これにより、特定条件の成否に応じて第１設定示唆演出に関する制御を異ならせることができるとともに、特定条件の成立に関連する消化ゲーム数に遊技者を注目させることができるため、遊技の興趣を向上させることができる。また、特定条件の成立に関連する消化ゲーム数が設定変更状態に制御されることにより初期化されるとともに、設定変更状態に移行されなくても朝一電源が投入されたときにも初期化される。これにより、消化ゲーム数が初期化されていることから、設定変更されたか否かが特定されてしまうことを防止できる。
【０１７４】
図２０（ｂ）は、特定条件が消化したゲーム数に応じて成立する変形例１における第１設定示唆演出関連処理が示されている。Ｓ０１においてＢＢまたはＡＴへの制御開始タイミングであると判定されたときには、Ｓ０２”において、ＢＢに制御されるときにはＢＢの朝一フラグがセットされているか否か、ＡＴに制御されるときにはＡＴの朝一フラグがセットされているか否かを判定する。ＢＢの朝一フラグおよびＡＴの朝一フラグとは、サブ制御部９１のＲＡＭ９１ｃの所定領域において格納され、設定変更状態に制御されたとき、スロットマシン１が設置される遊技場において朝一電源が投入されたときなどにセットされる。その後、ＢＢへの制御が開始されてＳ０２”でＹＥＳと判定された後にＢＢの朝一フラグはリセットされ、ＡＴへの制御が開始されてＳ０２”でＹＥＳと判定された後にＡＴの朝一フラグはリセットされる。
【０１７５】
Ｓ０２”において今回制御されたＢＢあるいはＡＴの朝一フラグがセットされていると判定されたときには、Ｓ０４において特定条件成立時テーブルを参照して第１設定示唆演出の抽選を行う一方、Ｓ０２”において今回制御されたＢＢあるいはＡＴの朝一フラグがセットされていないと判定されたときには、Ｓ０５において特定条件不成立時テーブルを参照して第１設定示唆演出の抽選を行い、第１設定示唆演出関連処理を終了する。このように、変形例２における特定条件は、朝一から初めて制御されたＢＢあるいはＡＴであるときに成立する。なお、特定条件は、朝一から初めて制御されたＢＢあるいはＡＴであるときに成立するものに限らず、たとえば、朝一から所定回数までのＢＢあるいはＡＴであるときに成立するものであってもよく、また、所定時刻（たとえば、正午）を過ぎてから初めて制御されたＢＢあるいはＡＴであるときに成立するものであってもよく、また、所定時刻として複数の時刻が定められているものであってもよい。
【０１７６】
これにより、特定条件の成否に応じて第１設定示唆演出に関する制御を異ならせることができるとともに、特定条件の成立に関連する朝一フラグが設定されている朝一であるかに遊技者を注目させることができるため、遊技の興趣を向上させることができる。また、朝一に制御された特定状態において特定条件が成立していることから、設定値が新たに設定されているか否かが特定されてしまうことを防止できる。
【０１７７】
また、特定条件について複数の例を説明したが、特定条件は、これら複数の例の２以上の例が組み合わされたものであってもよい。たとえば、特定条件は、今回の特定状態に制御された回数が所定回数目であること、前回の特定状態が終了してから今回の特定状態への制御が許容されるまでに消化したゲーム数が所定ゲーム数であること、および、朝一から初めて制御された特定状態であることのうちいずれが満たされても、成立するものであってもよい。
【０１７８】
［特定状態について］
前述した例では、特定状態として、小役の入賞確率が所定状態であるときよりも高確率となるビッグボーナス（ＢＢ）やＡＴなどの遊技者にとって有利な状態を例示した。しかし、特定状態は、たとえば、所定の入賞役の当選確率が高確率となるレギュラーボーナス（ＲＢ）やリプレイタイム（ＲＴ）、小役の集中状態や、少なくとも１のリールの引き込み可能範囲が通常よりも狭くなるとともに毎ゲームにおいてすべての小役の発生が許容された状態となるチャレンジタイム（ＣＴ）、入賞役の当選確率などを変化させるものではなく当選した小役を入賞させるための操作手順を所定期間（たとえば５０ゲーム消化するまでの間）に亘って報知する擬似ボーナスなどであってもよい。また、これらの有利な状態に制御される確率が高確率となる状態であってもよく、また、フリーズ状態に制御される確率が高確率の状態、ＡＴゲーム数などのゲーム数が高確率で上乗せされる状態、ＡＴの上乗せゲーム数が増加されやすくなる状態など、上記実施形態と異なる態様の有利状態を設定してもよい。
【０１７９】
また、特定状態は、所定の価値が付与されている可能性を複数ゲームに亘って示唆する連続演出やバトル演出が実行されている状態、通信回線網上で特典を得るための条件やプレミアム感のある演出（フリーズ演出、プレミアム演出など）を実行する条件の成立確率が高確率となる状態等、遊技の興趣を向上させる状態などであってもよい。また、特定状態への移行を許容するか否かを決定する許容決定手段は、内部抽選処理に限らず、入賞役とは無関係に決定する手段であってもよい。
【０１８０】
［第１設定示唆演出について］
前述した実施の形態では、図１６（ａ）に示すように、第１設定示唆演出として現在設定値を特定可能な特定可能演出（６確定パターン）と、現在設定値が複数の設定値に絞り込むことが可能な絞り込み演出（高設定確定パターンなど）とを例示したが、このうち特定可能演出は、設定値６を特定可能にするものに限らず、他の設定値（たとえば、設定値５）を特定可能にする種類が設けられているものであってもよい。また、第１設定示唆演出は、特定可能演出が設けられておらず、現在設定値を絞り込むことができる設定値数（高設定確定パターンであれば３）が異なる複数種類の絞り込み演出のみから構成されるものであってもよい。このように構成した場合であっても、特定条件が成立しているときと特定条件が成立していないときとで、異なるテーブルを参照して第１設定示唆演出を実行するようにしてもよい。
【０１８１】
また、前述した実施の形態における第１設定示唆演出は、対応するキャラクタを出現させることにより間接的に現在設定値を特定あるいは絞り込むことができる演出について説明したが、これに限らず、設定値そのものを報知するようにしてもよい。たとえば、６確定パターンであれば、「設定６確定！！」といったメッセージを表示し、高設定確定パターンであれば、「設定４〜６確定！！」といったメッセージを表示するようにしてもよい。
【０１８２】
また、前述した実施の形態における第１設定示唆演出は、特定状態が終了するときのエンディング中に実行される例について説明したが、これに限らず、特定状態が開始するときの突入演出中に実行するものであってもよく、また、特定状態中において所定の報知条件が成立したとき（たとえば、払出メダルが所定数を超えたとき、ゲーム数が所定数に到達したときなど）に実行するものであってもよい。また、第１設定示唆演出は、特定状態に関連するタイミングで実行されるものであれば、特定状態への制御が許容されたとき（ＢＢあるいはＡＴ当選時）や、特定状態終了後において所定ゲーム消化したときなどに実行されるものであってもよい。
【０１８３】
［説明演出について］
前述した実施の形態では、図１６（ｂ）に示すように、説明演出として特定条件成立時の方が精度の高い第１設定示唆演出が実行されやすい旨のメッセージを表示する例について説明したが、表示方法としては、これに限らず、所定のキャラクタを出現させて当該キャラクタの発言として表示するようにしてもよく、所定の表示領域においてスクロール表示するようにしてもよい。
【０１８４】
また、説明演出は、たとえば、次回が特定条件を成立させる特定状態となるときには、「次回ＢＢのエンディング中の設定示唆は高精度！！」といったように、何回後の特定状態における第１設定示唆演出が高精度となるのかを特定可能な態様で説明するようにしてもよい。これにより、高精度となることに対して期待が持てる特定状態をわかりやすく報知できる。また、説明演出は、特定状態中とは異なる通常状態中において実行される例について説明したが、これに限らず、特定状態中において実行するようにしてもよく、また、特定条件が成立する特定状態中においてのみ実行するようにしてもよい。
【０１８５】
［特典について］
前述した例では、特典として、ＢＢ当選、ＡＴ当選、ＡＴに制御可能にするＡＴゲーム数など、メダルやパチンコ玉の払出率に直接影響を及ぼす価値を例示した。しかし、特典としては、遊技者にとっての有利度合いを向上させる価値であればよく、たとえば、メダルの払出率に直接影響を及ぼすものではない価値であってもよい。具体的に、ＡＴ抽選において通常時よりも高確率でＡＴ当選する高確率状態が設けられている場合において、現在の状態が高確率状態であるか否かを示唆するための確率示唆演出の実行、液晶表示器５１に音声とともにプレミア演出の実行（特別キャラクタ出現、次回発生したボーナス中において特別なボーナス中演出実行など）、設定されている設定値を示唆するための設定値示唆演出の実行、一定数を集めることでスロットマシン１が設置された遊技店において定めたサービスと交換可能なポイント付与、特典映像や特典情報を所定のＷｅｂサイトにてダウンロードすることが可能な２次元コードを液晶表示器５１において表示などであってもよい。
【０１８６】
また、特典の一例としてＡＴゲーム数を例示したが、ＡＴに関する特典としては、これに限らず、たとえば、ＡＴに所定ゲーム数（たとえば５０ゲーム）制御可能にする権利（ナビストック）を特典としてもよい。また、ナビ演出を実行可能なナビ演出実行可能回数を決定し、当該決定されたナビ演出実行可能回数分、ナビ演出が実行されるまでＡＴに制御する場合、ナビ演出実行可能回数を特典としてもよい。また、たとえば、上限付与量を決定し、付与された遊技用価値（メダル払出枚数）が決定された上限付与量に到達するまでＡＴに制御する場合、上限付与量を特典としてもよい。また、所定のＡＴ開始条件が成立してから所定のＡＴ終了条件が成立するまでＡＴに制御され、ＡＴ終了条件が成立したときに当該ＡＴを継続するか否かの継続抽選を行なう場合、継続抽選において継続すると決定される継続確率を特典としてもよい。
【０１８７】
［演出や報知について］
前述した例では、液晶表示器５１を用いて演出や報知を行う例を挙げたが、例えば、スピーカ５３，５４、リールの背面側（内側）に配置されたバックランプ（上記実施形態のリールＬＥＤ５５）、リールの前面側に配置された透過液晶表示器（リールを目視できるように構成された液晶表示器）、前面扉１ｂなどに取り付けられたランプやＬＥＤ、ストップスイッチの振動、ストップスイッチの周囲からの送風、ストップスイッチの温度の変化など、上記の実施形態と異なる手段で演出を実行してもよい。
【０１８８】
［当選示唆演出について］
前述した実施の形態では、サブ制御部９１が当選示唆演出を決定するのではなく、メイン制御部４１が当選示唆演出を決定するようにしてもよい。たとえば、メイン制御部４１は、内部抽選において同時当選役に当選してＡＴ抽選が行われたときには、ＢＢ当選およびＡＴ当選したか否かを示唆する当選示唆演出を所定タイミングで実行するための処理を行うようにしてもよい。当選示唆演出としては、たとえば、スタートスイッチ７を操作したときにゲームの進行を所定期間に亘って遅延させるフリーズ演出が設けられていてもよい。フリーズ演出中においては、リール２Ｌ〜２Ｒを所定態様で回転させて、特定の図柄組合せを仮停止させる擬似遊技を実行する。擬似遊技は、フリーズ演出中において複数回実行可能である。なお、フリーズ演出は、スタートスイッチ７を操作したときに実行されるものに限らず、第１停止操作されたときや、第３停止操作されたとき、表示結果が導出されて１ゲームが終了したときなどに実行されるものであってもよい。
【０１８９】
また、ＢＢ当選あるいはＡＴ当選している信頼度は、フリーズ演出が最も高く、続いて、連打演出、ボタン演出、キャラクタＢ演出の順となり、キャラクタＡ演出が最も低くなるように、当選示唆演出の種別が決定されるように割合が定められていてもよい。なお、実行する演出としては、一の当選示唆演出が決定されるものに限らず、複数の当選示唆演出が決定され得るようにしてもよい。また、当選示唆演出を実行する所定タイミングは、これに限らず、複数タイミングからメイン制御部４１により決定されるもの（より具体的に、メイン制御部４１は、ＡＴ当選示唆演出による結果報知を行うタイミングを、特定の抽選対象役が当選したゲームから何ゲーム目（たとえば、０〜３２ゲームのうちいずれか）とするかを乱数抽選などにより決定するもの）であってもよい。メイン制御部４１は、当選示唆演出を実行する所定タイミングで、当選示唆演出の種別を特定するためのコマンドをサブ制御部９１へ出力するとともに、当該当選示唆演出がフリーズ演出である場合には当該フリーズ演出用の処理を実行するようにしてもよい。なお、フリーズ演出以外の当選示唆演出については、前述した実施の形態で説明したように、サブ制御部９１により決定されるように構成してもよい。
【０１９０】
［ＡＴについて］
上記スロットマシンの例では、ＡＴに係る制御をメイン制御部４１が実行する例について説明したが、メイン制御部４１が実行するＡＴに係る制御としては、ＡＴ抽選の実行が挙げられる。ＡＴ抽選には、ＡＴ抽選の当選または非当選の決定、ＡＴゲーム数をストックするか否かの決定、ＡＴゲーム数の決定、ＡＴゲーム数の上乗せ抽選などが含まれるものであってもよい。また、ＡＴに係る制御としてＡＴ抽選の高確率状態の制御が挙げられる。ＡＴ抽選の高確率状態の制御には、ＡＴ抽選の当選確率が高確率になる制御、内部抽選の結果に応じてＡＴに制御されるまでの期間を短縮する制御、上乗せ抽選の当選確率やゲーム数を優遇する制御などが含まれる。また、ＡＴに係る制御として、規定ゲーム数のゲームが消化されたときにＡＴに制御することが挙げられる。規定ゲーム数のゲームが消化されたときとして、天井ゲーム数に到達したとき、抽選で決定されたゲーム数に到達したときが含まれる。また、ＡＴに係る制御として、前兆期間を設定する制御が挙げられる。前兆期間を設定する制御には、ＡＴの開始前の前兆期間に例えば０〜３２ゲームの演出を実行する制御が含まれる。また、ＡＴに係る制御として、ペナルティを付与する制御が挙げられる。ペナルティを付与する制御には、ペナルティ内容の決定、ペナルティ期間の決定または設定が含まれる。また、ＡＴに係る制御として、ＡＴ中である旨のランプやＬＥＤの点灯制御をメイン制御部４１が行うことが挙げられる。
【０１９１】
また、ＡＴに係る制御として、ナビ演出を実行するためのランプやＬＥＤの点灯制御をメイン制御部４１が行うことが挙げられる。さらに、メイン制御部４１がナビ演出を実行することに連動してサブ制御部９１がナビ演出を実行するようにしてもよい。
【０１９２】
なお、ＡＴに係る制御をメイン制御部４１が実行する場合には、メイン制御部４１の処理を、メイン制御部４１に従属し、メイン制御部４１の下位となる制御部に実行させることが好ましい。例えば、リールの停止制御を遊技制御基板以外の基板に設けた制御部が実行するようにし、メイン制御部４１はストップスイッチの操作信号を当該制御部に転送することが挙げられる。このように、メイン制御部４１の制御を下位となる制御部に行わせることにより、ＡＴに係る制御を行うときのＲＯＭ４１ｂやＲＡＭ４１ｃの容量不足やメインＣＰＵ４１ａの処理能力不足を防止することができる。
【０１９３】
また、前述した実施の形態では、前述したＡＴに係る制御をメイン制御部４１が実行するようにしたが、サブ制御部９１が実行するようにしてもよい。サブ制御部９１は、たとえば、メイン制御部４１からの内部当選コマンドに基づいてＡＴ抽選処理や上乗せ抽選処理を行い、その結果に応じてＡＴに制御するための処理やナビ演出を実行するための処理などを行うようにしてもよい。
【０１９４】
［設定変更状態および設定確認状態について］
設定変更状態に関して、「電源ＯＮ」＋「設定キースイッチＯＮ」＋「前面扉開放検出」を条件として、設定変更状態に移行させるようにしてもよい。これにより、前面扉が開放されていない状態での不正な設定変更を防ぐことができる。また、一旦設定変更状態に移行された後は、設定変更状態を終了させる終了条件(設定値確定後に設定キースイッチがＯＦＦ操作)が成立するまで前面扉の開閉状態に関わらず設定変更状態を維持するようにしてもよい。これにより、設定変更状態中に前面扉が閉まっても設定変更状態を終了させないため、再度設定変更状態へ移行させる手間を生じさせてしまうことを防ぐことができる。
【０１９５】
また、設定確認状態に関して、「設定キースイッチＯＮ」＋「前面扉開放検出」を条件として、設定確認状態に移行させるようにしてもよい。これにより、前面扉が開放されていない状態での不正な設定確認を防ぐことができる。また、一旦設定確認状態に移行された後は、設定確認状態を終了させる終了条件(設定キースイッチがＯＦＦ操作)が成立するまで前面扉の開閉状態に関わらず設定確認状態を維持するようにしてもよい。これにより、設定確認状態中に前面扉が閉まっても設定確認状態を終了させないため、再度設定確認状態へ移行させる手間を生じさせてしまうことを防ぐことができる。
【０１９６】
［スロットマシンの変形例について］
上記実施形態として、入賞の発生に応じて遊技媒体を遊技者の手元に払い出すスロットマシンを説明したが、遊技媒体が封入され、入賞の発生に応じて遊技媒体を遊技者の手元に払い出すことなく遊技点（得点）を加算する封入式のスロットマシンを採用してもよい。基盤とドラムとが流通可能で、筺体が共通なもので基盤のみあるいは基盤とドラムとを遊技機と称する。また、遊技玉を発射して遊技を行うことが可能な遊技領域を備え、遊技領域に設けられた所定領域を遊技玉が通過することに応じて賭数の設定が可能となるスロットマシンであってもよい。
【０１９７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１９８】
１  スロットマシン、２Ｌ，２Ｃ，２Ｒ  リール、８Ｌ，８Ｃ，８Ｒ  ストップスイッチ、４０  遊技制御基板、４１  メイン制御部、４１ａ  メインＣＰＵ、４１ｂ  ＲＯＭ、４１ｃ  ＲＡＭ、４２  乱数回路、４３  パルス発振器、５１  液晶表示器、５６  演出用スイッチ、９０  演出制御基板、９１  サブ制御部、９１ａ  サブＣＰＵ、９１ｂ  ＲＯＭ、９１ｃ  ＲＡＭ。
【図１】
0006706051.tif 000002
【図２】
0006706051.tif 000003
【図３】
0006706051.tif 000004
【図４】
0006706051.tif 000005
【図５】
0006706051.tif 000006
【図６】
0006706051.tif 000007
【図７】
0006706051.tif 000008
【図８】
0006706051.tif 000009
【図９】
0006706051.tif 000010
【図１０】
0006706051.tif 000011
【図１１】
0006706051.tif 000012
【図１２】
0006706051.tif 000013
【図１３】
0006706051.tif 000014
【図１４】
0006706051.tif 000015
【図１５】
0006706051.tif 000016
【図１６】
0006706051.tif 000017
【図１７】
0006706051.tif 000018
【図１８】
0006706051.tif 000019
【図１９】
0006706051.tif 000020
【図２０】
0006706051.tif 000021